(57)【特許請求の範囲】
【請求項１】
ワイヤレス通信ネットワーク（１００）により実行される、前記ワイヤレス通信ネットワーク（１００）に含まれるワイヤレスデバイス（１１５）とサービングネットワークノード（１１０）との間の第１の無線リンク（１２１）に伴う問題を管理するための方法であって、
前記ワイヤレスデバイス（１１５）へ、第１の情報を送信すること（２０１ａ；３０１，４０１ａ；５０１；６０１）、
を含み、前記第１の情報は、前記サービングネットワークノード（１１０）を識別する第１の識別子を含み、及び、前記ワイヤレスデバイス（１１５）において前記第１の識別子が候補ネットワークノード（１１０；１１１ａ；１１１ｂ）から受信された場合に、前記ワイヤレスデバイス（１１５）と前記候補ネットワークノード（１１０；１１１ａ；１１１ｂ）との間で前記問題の無いワーキング無線リンク（１２１；１２２ａ；１２２ｂ）をセットアップすることを前記サービングネットワークノード（１１０）が承認したことを前記第１の識別子が意味すること、を前記ワイヤレスデバイス（１１５）へ通知する、
方法。
【請求項２】
前記方法は、前記サービングネットワークノード（１１０）により実行される、請求項１に記載の方法。
【請求項３】
ワイヤレス通信ネットワーク（１００）に含まれるワイヤレスデバイス（１１５）とサービングネットワークノード（１１０）との間の第１の無線リンク（１２１）に伴う問題を管理するための、前記ワイヤレスデバイス（１１５）により実行される方法であって、
前記ワイヤレス通信ネットワーク（１００）から、第１の情報を受信すること（２０１ａ；３０１；４０１ａ；５０１；８０１）、
を含み、前記第１の情報は、前記サービングネットワークノード（１１０）を識別する第１の識別子を含み、及び、前記ワイヤレスデバイス（１１５）において前記第１の識別子が候補ネットワークノード（１１０；１１１ａ；１１１ｂ）から受信された場合に、前記ワイヤレスデバイス（１１５）と前記候補ネットワークノード（１１０；１１１ａ；１１１ｂ）との間で前記問題の無いワーキング無線リンク（１２１；１２２ａ；１２２ｂ）をセットアップすることを前記サービングネットワークノード（１１０）が承認したことを前記第１の識別子が意味すること、を前記ワイヤレスデバイス（１１５）へ通知する、
方法。
【請求項４】
前記第１の情報は、前記ワイヤレスデバイス（１１５）において前記第１の識別子が前記候補ネットワークノード（１１０；１１１ａ；１１１ｂ）から受信された場合に、前記第１の無線リンク（１２１）のコンテキストが依然として有効でありよって前記ワーキング無線リンク（１２１；１２２ａ；１２２ｂ）のために使用を継続できることを前記第１の識別子が意味すること、をさらに前記ワイヤレスデバイス（１１５）へ通知する、請求項３に記載の方法。
【請求項５】
ワイヤレス通信ネットワーク（１００）に含まれるワイヤレスデバイス（１１５）とサービングネットワークノード（１１０）との間の第１の無線リンク（１２１）に伴う問題を管理するためのネットワークノード（１１０；１３０）であって、前記ネットワークノード（１１０；１３０）は、
前記ワイヤレスデバイス（１１５）へ、第１の情報を送信（２０１ａ；３０１，４０１ａ；５０１；６０１）する、
ように構成され、前記第１の情報は、前記サービングネットワークノード（１１０）を識別する第１の識別子を含み、及び、前記ワイヤレスデバイス（１１５）において前記第１の識別子が候補ネットワークノード（１１０；１１１ａ；１１１ｂ）から受信された場合に、前記ワイヤレスデバイス（１１５）と前記候補ネットワークノード（１１０；１１１ａ；１１１ｂ）との間で前記問題の無いワーキング無線リンク（１２１；１２２ａ；１２２ｂ）をセットアップすることを前記サービングネットワークノード（１１０）が承認したことを前記第１の識別子が意味すること、を前記ワイヤレスデバイス（１１５）へ通知する、
ネットワークノード（１１０；１３０）。
【請求項６】
前記第１の情報は、前記ワイヤレスデバイス（１１５）において前記第１の識別子が前記候補ネットワークノード（１１０；１１１ａ；１１１ｂ）から受信された場合に、前記第１の無線リンク（１２１）のコンテキストが依然として有効でありよって前記ワーキング無線リンク（１２１；１２２ａ；１２２ｂ）のために使用を継続できることを前記第１の識別子が意味すること、をさらに前記ワイヤレスデバイス（１１５）へ通知する、請求項５に記載のネットワークノード（１１０；１３０）。
【請求項７】
前記第１の情報は、ワイヤレスデバイスを識別する他の第２の識別子をさらに含み、及び、前記第１の無線リンク（１２１）に伴う問題が検出されたことに応じて１つ以上の候補ネットワークノード（１１０，１１１ａ−ｂ）による受信のために前記第２の識別子を含むメッセージを送信（２０４；３０４；４０８；５０６）することを前記ワイヤレスデバイス（１１５）へ指示し、前記メッセージは、前記ワイヤレスデバイス（１１５）についての前記問題の無いワーキング無線リンク（１２１；１２２ａ；１２２ｂ）のセットアップへの参加に関連し、前記１つ以上の候補ネットワークノード（１１０，１１１ａ−ｂ）は、前記ワーキング無線リンク（１２１；１２２ａ；１２２ｂ）に関与するための候補であるネットワークノードである、請求項５又は６に記載のネットワークノード（１１０；１３０）。
【請求項８】
前記ネットワークノード（１１０；１３０）は、
前記ワイヤレス通信ネットワーク（１００）に含まれる１つ以上の非サービングネットワークノード（１１１ａ−ｂ）へ、第２の情報を送信（２０１ｂ；４０１ｂ；６０２）する、
ようにさらに構成され、前記第２の情報は、前記第２の識別子を含み、及び、前記第１の無線リンク（１２１）に伴う問題が検出されるケースにおいて、前記ワイヤレスデバイス（１１５）についての前記問題の無い新たなワーキング無線リンク（１２２ａ；１２２ｂ）のセットアップへの参加を求めるリクエストに関連付けて前記第２の識別子が受信（２０４；４０５）され得ること、を前記１つ以上の非サービングネットワークノード（１１１ａ−ｂ）へ通知する、請求項７に記載のネットワークノード（１１０；１３０）。
【請求項９】
前記ネットワークノード（１１０；１３０）は、
前記第１の無線リンク（１２１）に伴う前記問題を前記ワイヤレスデバイス（１１５）が検出したことに応じて、前記ワイヤレスデバイス（１１５）から、前記第２の識別子を含む無線リンク訂正リクエストメッセージであって、前記第１の無線リンク（１２１）を前記問題の無いワーキング無線リンク（１２１）にするために当該リンクの修復に参加することを前記サービングネットワークノード（１１０）に求める前記無線リンク訂正リクエストメッセージ、を受信（３０４；６０３）し、
受信した前記無線リンク訂正リクエストメッセージに応じて、前記ワイヤレスデバイス（１１５）へ、前記第１の識別子を含む無線リンク訂正レスポンスメッセージを送信（３０５；６０４）する、
ようにさらに構成される、請求項７又は８に記載のネットワークノード（１１０；１３０）。
【請求項１０】
前記ネットワークノード（１１０；１３０）は、
前記第１の無線リンク（１２１）に伴う前記問題を検出（５０２；６０５）し、
前記検出に応じて、前記ワイヤレスデバイス（１１５）へ、前記第１の識別子を含む無線リンク修復リクエストメッセージであって、前記第１の無線リンク（１２１）を前記問題の無いワーキング無線リンク（１２１）にするために当該リンクの修復に参加することを前記ワイヤレスデバイス（１１５）に求める前記無線リンク修復リクエストメッセージ、を送信（５０５；６０６）する、
ようにさらに構成される、請求項８に記載のネットワークノード（１１０；１３０）。
【請求項１１】
ワイヤレス通信ネットワーク（１００）に含まれるワイヤレスデバイス（１１５）とサービングネットワークノード（１１０）との間の第１の無線リンク（１２１）に伴う問題を管理するための前記ワイヤレスデバイス（１１５）であって、
前記ワイヤレス通信ネットワーク（１００）から、第１の情報を受信（２０１ａ；３０１；４０１ａ；５０１；８０１）する、
ように構成され、前記第１の情報は、前記サービングネットワークノード（１１０）を識別する第１の識別子を含み、及び、前記ワイヤレスデバイス（１１５）において前記第１の識別子が候補ネットワークノード（１１０；１１１ａ；１１１ｂ）から受信された場合に、前記ワイヤレスデバイス（１１５）と前記候補ネットワークノード（１１０；１１１ａ；１１１ｂ）との間で前記問題の無いワーキング無線リンク（１２１；１２２ａ；１２２ｂ）をセットアップすることを前記サービングネットワークノード（１１０）が承認したことを前記第１の識別子が意味すること、を前記ワイヤレスデバイス（１１５）へ通知する、
ワイヤレスデバイス（１１５）。
【請求項１２】
前記第１の情報は、前記ワイヤレスデバイス（１１５）において前記第１の識別子が前記候補ネットワークノード（１１０；１１１ａ；１１１ｂ）から受信された場合に、前記第１の無線リンク（１２１）のコンテキストが依然として有効でありよって前記ワーキング無線リンク（１２１；１２２ａ；１２２ｂ）のために使用を継続できることを前記第１の識別子が意味すること、をさらに前記ワイヤレスデバイス（１１５）へ通知する、請求項１１に記載のワイヤレスデバイス（１１５）。
【請求項１３】
前記第１の情報は、前記ワイヤレスデバイス（１１５）を識別する他の第２の識別子をさらに含み、及び、前記第１の無線リンク（１２１）に伴う問題が検出されたことに応じて１つ以上の候補ネットワークノード（１１０，１１１ａ−ｂ）による受信のために前記第２の識別子を含むメッセージを送信（２０４；４０８；３０４；５０６）することを前記ワイヤレスデバイス（１１５）へ指示し、前記メッセージは、前記ワイヤレスデバイス（１１５）についての前記問題の無いワーキング無線リンク（１２１；１２２ａ；１２２ｂ）のセットアップへの参加に関連し、前記１つ以上の候補ネットワークノード（１１０，１１１ａ−ｂ）は、前記ワーキング無線リンク（１２１；１２２ａ；１２２ｂ）に関与するための候補であるノードである、請求項１１又は１２に記載のワイヤレスデバイス（１１５）。
【請求項１４】
前記ワイヤレスデバイス（１１５）は、
前記第１の無線リンク（１２１）に伴う前記問題を検出（３０２；８０２）し、
前記検出に応じて、前記サービングネットワークノード（１１０）へ、前記第２の識別子を含む無線リンク訂正リクエストメッセージであって、前記第１の無線リンク（１２１）を前記問題の無いワーキング無線リンクにするために当該リンクの修復に参加することを前記サービングネットワークノード（１１０）に求める前記無線リンク訂正リクエストメッセージ、を送信（３０４；８０３）する、
ようにさらに構成される、請求項１３に記載のワイヤレスデバイス（１１５）。
【請求項１５】
前記ワイヤレスデバイス（１１５）は、
送信した前記無線リンク訂正リクエストメッセージに応じて、前記サービングネットワークノード（１１０）から、前記第１の識別子を含む無線リンク訂正レスポンスメッセージを受信（３０５；８０４）する、
ようにさらに構成される、請求項１４に記載のワイヤレスデバイス（１１５）。
【請求項１６】
前記ワイヤレスデバイス（１１５）は、
前記第１の無線リンク（１２１）に伴う前記問題を検出（２０２；８０２）し、
前記第１の無線リンク（１２１）に伴う前記問題を前記ワイヤレスデバイス（１１５）が検出したことに応じて、前記ワイヤレス通信ネットワーク（１００）に含まれる１つ以上の非サービングネットワークノード（１１１ａ−ｂ）へ、前記第２の識別子を含む無線リンク問題検出メッセージであって、前記ワイヤレスデバイス（１１５）についての前記問題の無い新たなワーキング無線リンク（１２２ａ；１２２ｂ）のセットアップに参加することを前記１つ以上の非サービングネットワークノード（１１１ａ；１１１ｂ）に求める前記無線リンク問題検出メッセージ、を送信（２０４；８０５）する、
ようにさらに構成される、請求項１３に記載のワイヤレスデバイス（１１５）。
【請求項１７】
前記ワイヤレスデバイス（１１５）は、
１つ以上の非サービングネットワークノード（１１１ａ−ｂ）から、無線リンク再確立リクエストメッセージを受信（２０７；４１１；８０６）する、
ようにさらに構成され、前記無線リンク再確立リクエストメッセージは、前記第１の識別子を含む、請求項１１〜１６のいずれか１項に記載のワイヤレスデバイス（１１５）。
【請求項１８】
前記ワイヤレスデバイス（１１５）は、
前記第１の無線リンク（１２１）に伴う前記問題の前記サービングネットワークノード（１１０）による検出に応じて、前記サービングネットワークノード（１１０）から、前記第１の識別子を含む無線リンク修復リクエストメッセージであって、前記第１の無線リンク（１２１）を前記問題の無いワーキング無線リンク（１２１）にするために当該リンクの修復に参加することを前記ワイヤレスデバイス（１１５）に求める前記無線リンク修復リクエストメッセージ、を受信（５０５；８０７）する、
ようにさらに構成される、請求項１３に記載のワイヤレスデバイス（１１５）。
【発明の詳細な説明】
【技術分野】
【０００１】
ここでの実施形態は、ワイヤレス通信ネットワークに含まれるワイヤレスデバイスとサービングネットワークノードとの間の無線リンクに伴う問題を管理するための、例えば電気通信ネットワークといったワイヤレス通信ネットワークにおける方法及びネットワークノードに関連する。
【背景技術】
【０００２】
単にワイヤレスデバイスとも称され得る、ワイヤレス通信デバイスなどの通信デバイスは、例えばユーザ機器（ＵＥ）、モバイル端末、ワイヤレス端末及び／又は移動局としても知られているかもしれない。ワイヤレスデバイスは、セルラー無線システム、セルラーネットワーク又はセルラー通信システムとして言及されることもある、セルラー通信ネットワーク、ワイヤレス通信システム又は無線通信システムにおいて、ワイヤレスに通信することを可能とされる。その通信は、例えば、２つのワイヤレスデバイスの間で、ワイヤレスデバイスと通常の電話機との間で、及び／又は、ワイヤレスデバイスと無線アクセスネットワーク（ＲＡＮ）及びセルラー通信ネットワーク内に含まれる恐らくは１つ以上のコアネットワークを介してサーバとの間で行われ得る。ワイヤレスデバイスは、いくつかのさらなる例を挙げるだけでも、モバイルフォン、セルラーフォン、ラップトップ、ＰＤＡ（Personal  Digital  Assistant）、タブレットコンピュータとしてさらに言及されてもよい。ワイヤレスデバイスは、いわゆるＭ２Ｍ（Machine  to  Machine）デバイス又はＭＴＣ（Machine  Type  of  Communication）デバイス、即ち旧来のユーザには関連付けられないデバイスであってもよい。
【０００３】
ワイヤレスデバイスは、例えば、他のワイヤレスデバイス又はサーバといった他のエンティティとの間でＲＡＮを介して音声及び／又はデータを通信することを可能とされる、ポータブルな、ポケット格納可能な、手持ち型の、コンピュータ内蔵型の、又は車両搭載型のモバイルデバイスであってもよい。
【０００４】
セルラー通信ネットワークは、複数のセルエリアへ分割される地理的エリアをカバーし、各セルエリアは例えば無線基地局（ＲＢＳ）である少なくとも１つの基地局又はＢＳ（Base  Station）によりサービスされる。基地局は、使用される技術及び専門用語に依存して、例えば、“ｅＮＢ”、“ｅＮｏｄｅＢ”、“ノードＢ”、“Ｂノード”又はＢＴＳ（Base  Transceiver  Station）として言及されることもあり得る。基地局は、送信電力及びそれによるセルサイズにも基づいて、例えばマクロｅＮｏｄｅＢ、ホームｅＮｏｄｅＢ、又はピコ基地局といった様々なクラスのものであってよい。セルは、典型的には、１つ以上のセルアイデンティティにより識別される。基地局サイトにある基地局が１つ以上のセルのための無線カバレッジを提供する。そのようにして、セルは、基地局サイトにある基地局によりそのセル向けの無線カバレッジが提供される地理的エリアに関連付けられる。同じ地理的エリアを複数のセルがカバーするように、セルが重複し合ってもよい。基地局がセルを提供し又はセルへサービスするとは、無線カバレッジが提供される地理的エリア内に位置する１つ以上のワイヤレスデバイスがそのセル内の基地局によりサービスされ得るように、基地局が無線カバレッジを提供することを意味する。ワイヤレスデバイスがセルにおいて又はセルによりサービスされるという場合、それは、ワイヤレスデバイスがそのセル向けの無線カバレッジを提供している基地局によりサービスされることを示唆する。１つの基地局が１つ又は複数のセルへサービスしてもよい。さらに、各基地局が１つ又は複数の通信技術をサポートしてもよい。基地局は、当該基地局のレンジ内のワイヤレスデバイスと無線周波数上で動作するエアインタフェース上で通信する。
【０００５】
いくつかのＲＡＮでは、複数の基地局が、例えば地上回線又はマイクロ波により無線ネットワークコントローラ（例えば、ＵＭＴＳ（Universal  Mobile  Telecommunication  System）におけるＲＮＣ（Radio  Network  Controller））へ接続され、及び／又は互いに接続され得る。例えばＧＳＭにおいてＢＳＣ（Base  Station  Controller）と称されることもある無線ネットワークコントローラは、そこに接続される複数の基地局の多様なアクティビティを監督し及び協調させ得る。ＧＳＭは、Global  System  for  Mobile  Communication（もとは、Groupe  Special  Mobile（Specialのeにアクサンテギュあり））の略語である。
【０００６】
３ＧＰＰ（3rd  Generation  Partnership  Project）ＬＴＥ（Long  Term  Evolution）では、ｅＮｏｄｅＢ又はｅＮＢとして言及され得る基地局は、他の基地局へ直接的に接続され、及び１つ以上のコアネットワークへ直接的に接続され得る。
【０００７】
ＵＭＴＳは、ＧＳＭから進化した、第３世代又は３Ｇとして言及され得る第３世代のモバイル通信システムであり、ＷＣＤＭＡ（Wideband  Code  Division  Multiple  Access）アクセス技術に基づいて改善されたモバイル通信サービスを提供する。ＵＴＲＡＮ（UMTS  Terrestrial  Radio  Access  Network）は、本質的に、ワイヤレスデバイスのために広帯域符号分割多重アクセスを用いる無線アクセスネットワークである。ＨＳＰＡは、３ＧＰＰにより定義される、ＨＳＤＰＡ（High  Speed  Downlink  Packet  Access）及びＨＳＵＰＡ（High  Speed  Uplink  Packet  Access）という２つのモバイルテレフォニープロトコルの融合であり、ＷＣＤＭＡを利用して、既存の第３世代モバイル電気通信ネットワークの性能を拡張し及び改善する。そうしたネットワークは、ＷＣＤＭＡ／ＨＳＰＡと称され得る。
【０００８】
３ＧＰＰは、ＵＴＲＡＮ及びＧＳＭベースの無線アクセスネットワーク技術を、例えばＬＴＥにおいて使用されるＥ−ＵＴＲＡＮ（evolved  UTRAN）へとさらに進化させることに着手している。
【０００９】
ダウンリンク（ＤＬ）との表現は、基地局からワイヤレスデバイスへの送信パスについて使用される。アップリンク（ＵＬ）との表現は、逆方向、即ちワイヤレスデバイスから基地局への送信パスについて使用される。
【００１０】
次世代のワイドエリアネットワーク向けのベースラインを設計することを伴う作業が進行中であり、それは第５世代（５Ｇ）として言及され得る。５Ｇワイヤレス通信ネットワークについて検討中のある設計原理は、超高効率（ultra-lean）設計をその基礎とすることである。これは、ネットワークにおいて“常時信号オン（always  on  signals）”を可能な限り避けるものとする、ということを示唆する。この設計原理からの期待される恩恵として、有意により低いネットワークエネルギー消費、より良好なスケーラビリティ、より高度な前方互換性、システムオーバヘッド信号からのより低い干渉、並びに、その結果としての、低負荷シナリオにおけるより高いスループット及びユーザセントリックなビーム形成についての改善されたサポートもある、と予期されている。
【００１１】
高度アンテナシステム（ＡＡＳ）は、近年技術が顕著に進化してきている領域であり、また今後数年において急速な技術の発展が予見されている領域でもある。そのため、一般的には、高度アンテナシステムが、具体的にはマッシブＭＩＭＯ（Multiple  Input  Multiple  Output）送信及び受信が、将来の５Ｇワイヤレス通信ネットワークにおける礎石となるであろうと想定することが自然である。
【００１２】
ビーム形成が益々普及し且つ有能になるにつれ、データの送信のためのみならず制御情報の送信のためにもビーム形成を使用することが自然となってきている。このことが、ＬＴＥにおける、拡張型物理ダウンリンク制御チャネル（ｅＰＤＣＣＨ）として知られる比較的新しい制御チャネルの背後にある１つの誘因である。制御チャネルがビーム形成されると、オーバヘッド制御情報の送信コストは、追加的なアンテナ利得により提供される増大されるリンクバジェットに起因して低減されることができる。これは、恐らくは、現時点でＬＴＥにおいて可能であるよりもさらに大きな度合いで、５Ｇのためにも利用されるであろう良好な特性である。
【００１３】
上述のように“超高効率”であり且つマッシブなビーム形成を使用するワイヤレス通信ネットワークが存在する場合、無線リンク障害（ＲＬＦ）の旧来の定義はもはや無関係であるかもしれない。アップリンクでもダウンリンクでもデータが送信されない場合、無線リンクに障害があることを検出するために使用できる信号が存在せず、また、超高効率なネットワークにおいてはモビリティリファレンス信号は常には又は少なくとも十分には存在しないかもしれない。例えば、データが送信されるときにのみ無線リンクは存在するであろう、との設計原理に基づくネットワークにおいては、旧来の意味でのＲＬＦは使用できない。ユーザ端末といったワイヤレスデバイスは、誰も気付かぬうちに、パケット送信バーストの合間にカバレッジ外へ出てしまう場合がある。ビーム形成される制御情報も存在する場合、データ送信を継続することが望ましいときにすぐに、意図される受信側ワイヤレスデバイスへ到達することすらできないかもしれない。同様に、ワイヤレスデバイスがデータを送信することを望む場合、そのことをネットワークへ通信してスケジューリングされることができないかもしれない。そうしたシナリオにおいて、旧来の解決策では、ワイヤレスデバイスは新たなランダムアクセス手続を実行しなければならないであろうが、これは有意な遅延及びシグナリングオーバヘッドコストに関連付けられる。
【発明の概要】
【発明が解決しようとする課題】
【００１４】
上記の問題に鑑みて、目的は、ワイヤレス通信ネットワークにおいて無線リンク問題をどのように管理するかに関して１つ以上の改善を提供することである。具体的な対象となり得るワイヤレス通信ネットワークは、例えば５Ｇワイヤレス通信ネットワークのために使用されることが期待されるいわゆる“超高効率”ネットワークのケースにおけるように、無線リンクに伴う障害及び／又は問題を検出するための信号が十分には利用可能でないネットワークである。例えば、旧来のランダムアクセス手続を実行する場合よりもより少ない遅延及び／又はより少ないシグナリングオーバヘッドコストを当該改善が可能とすることが特に望ましい。
【００１５】
典型的にＲＬＦと略され及び特別な意味を有し得る旧来の無線リンク障害と区別するために、ここでは、無線リンク問題（Radio  Link  Problem：ＲＬＰ）との用語を代わりに使用する。ＲＬＰは、新たなタイプのイベントと見なされてもよい。ＲＬＰは、以前は機能していた無線リンクに伴う、ワイヤレスデバイスとサービングネットワークノードとの間の無線リンク上の通信に関連する何らかの種類の問題が経験され及び／又は検出されたことを指し示すイベントであり得る。その問題は、例えば、期待されるデータ及び／若しくは信号の不在、並びに／又は無線リンク上の進行中の通信の何らかの劣化（例えば、予め定義され及び／若しくは予め決定され得る所定レベルよりも悪い、許容できないレベルにある劣化）、に関連し得る。サービングネットワークノードとは、無線リンク上でワイヤレスデバイスにサービスするように現在割り当てられている及び／若しくは最後にサービスしたネットワークノードであり、並びに／又は、ワイヤレスデバイスへ及び／若しくはワイヤレスデバイスから通信されるべきデータが存在する際に及び／若しくはそうしたデータが存在する場合にワイヤレスデバイスにサービスすることが現時点において期待されているネットワークノードであり得る。検出されるＲＬＰは、例えば、無線リンクに関連付けられるサービングネットワークノードとワイヤレスデバイスとの間に何らかのミスマッチが存在することを指し示し得る。ＲＬＰは、例えば、意図されるワイヤレスデバイスへ信号を到達させない方向をサービングネットワークノードアンテナがポイントしていることを原因とするかもしれない。また、ＲＬＰは、例えば、ワイヤレスデバイスにおけるアンテナ構成が意図されるサービングネットワークノードに向かって正しく調整されていないことを原因とするかもしれない。
【課題を解決するための手段】
【００１６】
ここでの実施形態の第１の観点によれば、上記目的は、ワイヤレス通信ネットワーク（例えば、当該ネットワークのネットワークノード）により実行される、ワイヤレスデバイスとサービングネットワークノードとの間の第１の無線リンクに伴う問題を管理するための方法、により達成される。いくつかの実施形態では、上記ネットワークノードは、サービングネットワークノードである。ワイヤレス通信ネットワークは、ワイヤレスデバイスへ、第１の情報を送信する。第１の情報は、第１の識別子を含み、及び、第１の識別子が候補ネットワークノードから受信された場合にはそれはワイヤレスデバイスと上記候補ノードとの間で上記問題の無いワーキング無線リンクをセットアップすることをサービングネットワークノードが承認したことを意味すること、をワイヤレスデバイスへ通知する。
【００１７】
ここでの実施形態の第２の観点によれば、上記目的は、処理回路により実行されると第１の観点に係る方法をサービングネットワークノードに実行させる命令、を含むコンピュータプログラム、により達成される。
【００１８】
ここでの実施形態の第３の観点によれば、上記目的は、第２の観点に係るコンピュータプログラムを含むデータ担体、により達成される。
【００１９】
ここでの実施形態の第４の観点によれば、上記目的は、ワイヤレス通信ネットワークに含まれるワイヤレスデバイスとサービングネットワークノードとの間の第１の無線リンクに伴う問題を管理するための、当該ワイヤレスデバイスにより実行される方法、により達成される。ワイヤレスデバイスは、ワイヤレス通信ネットワークから（例えば、当該ネットワークのネットワークノードから、いくつかの実施形態ではサービングネットワークノードから）、第１の情報を受信する。当該第１の情報は、第１の識別子を含み、及び、その第１の識別子が候補ネットワークノードから受信された場合にはそれはワイヤレスデバイスと上記候補ノードとの間で上記問題の無いワーキング無線リンクをセットアップすることをサービングネットワークノードが承認したことを意味すること、をワイヤレスデバイスへ通知する。
【００２０】
ここでの実施形態の第５の観点によれば、上記目的は、処理回路により実行されると第４の観点に係る方法をワイヤレスデバイスに実行させる命令、を含むコンピュータプログラム、により達成される。
【００２１】
ここでの実施形態の第６の観点によれば、上記目的は、第５の観点に係るコンピュータプログラムを含むデータ担体、により達成される。
【００２２】
ここでの実施形態の第７の観点によれば、上記目的は、ワイヤレスデバイスとサービングネットワークノードとの間の第１の無線リンクに伴う問題を管理するための、非サービングネットワークノードにより実行される方法、により達成される。サービングネットワークノード及び非サービングノードはワイヤレス通信ネットワークに含まれる。非サービングネットワークノードは、ワイヤレス通信ネットワークから（例えば、当該ネットワークのネットワークノードから、いくつかの実施形態ではサービングネットワークノードから）、第２の情報を受信する。第２の情報は、第２の識別子を含み、及び、第１の無線リンクに伴う問題が検出されるケースにおいて、ワイヤレスデバイスについての上記問題の無い新たなワーキング無線リンクのセットアップへの参加を求めるリクエストに関連付けて第２の識別子が受信され得ること、を非サービングノードへ通知する。
【００２３】
ここでの実施形態の第８の観点によれば、上記目的は、処理回路により実行されると第７の観点に係る方法を非サービングネットワークノードに実行させる命令、を含むコンピュータプログラム、により達成される。
【００２４】
ここでの実施形態の第９の観点によれば、上記目的は、第８の観点に係るコンピュータプログラムを含むデータ担体、により達成される。
【００２５】
ここでの実施形態の第１０の観点によれば、上記目的は、ワイヤレス通信ネットワークに含まれるワイヤレスデバイスとサービングネットワークノードとの間の第１の無線リンクに伴う問題を管理するためのネットワークノード、により達成される。いくつかの実施形態では、上記ネットワークノードは、サービングネットワークノードである。当該ネットワークノードは、ワイヤレスデバイスへ、第１の情報を送信する、ように構成される。第１の情報は、第１の識別子を含み、及び、その第１の識別子が候補ネットワークノードから受信された場合にはそれはワイヤレスデバイスと上記候補ノードとの間で上記問題の無いワーキング無線リンクをセットアップすることをサービングネットワークノードが承認したことを意味すること、をワイヤレスデバイスへ通知する。
【００２６】
ここでの実施形態の第１１の観点によれば、上記目的は、ワイヤレス通信ネットワークに含まれるワイヤレスデバイスとサービングネットワークノードとの間の第１の無線リンクに伴う問題を管理するための当該ワイヤレスデバイス、により達成される。ワイヤレスデバイスは、ワイヤレス通信ネットワークから（例えば、当該ネットワークのネットワークノードから、いくつかの実施形態ではサービングネットワークノードから）、第１の情報を受信する、ように構成される。当該第１の情報は、第１の識別子を含み、及び、その第１の識別子が候補ネットワークノードから受信された場合にはそれはワイヤレスデバイスと上記候補ノードとの間で上記問題の無いワーキング無線リンクをセットアップすることをサービングネットワークノードが承認したことを意味すること、をワイヤレスデバイスへ通知する。
【００２７】
ここでの実施形態の第１２の観点によれば、上記目的は、ワイヤレスデバイスとサービングネットワークノードとの間の第１の無線リンクに伴う問題を管理するための非サービングネットワークノード、により達成される。サービングネットワークノード及び非サービングノードはワイヤレス通信ネットワークに含まれる。非サービングネットワークノードは、ワイヤレス通信ネットワークから（例えば、当該ネットワークのネットワークノードから、いくつかの実施形態ではサービングネットワークノードから）、第２の情報を受信する、ように構成される。当該第２の情報は、第２の識別子を含み、及び、第１の無線リンクに伴う問題が検出されるケースにおいて、ワイヤレスデバイスについての上記問題の無い新たなワーキング無線リンクのセットアップへの参加を求めるリクエストに関連付けて第２の識別子が受信され得ること、を非サービングノードへ通知する。
【発明の効果】
【００２８】
上記したようなシグナリングにおける第１の識別子の使用は、第１の無線リンクに伴う問題に応じてワーキング無線リンクがセットアップされるべき際に、ロバストであり且つ包括的なシグナリングを可能とする。また、第１の識別子及び関連付けられる承認のおかげで、ワイヤレスデバイスの観点から、ワーキング無線リンクが第１の無線リンクの修復バージョンであるか、それとも、そのワイヤレスデバイスとサービングネットワークノードに取って代わる非サービングネットワークノードとの間の（即ち、非サービングノードが新たなサービングネットワークノードとなるであろう場合の）新たな第２の無線リンクであるか、には非依存の同様のハンドリングで、ワーキング無線リンクをセットアップすることができる。第１の識別子及び承認についての情報の使用は、第１の無線リンクが修復されるケースのみならず、第１の無線リンクと置き換えるために新たな第２の無線リンクがセットアップされなければならない場合においても、第１の無線リンクのコンテキストの使用を安全なやり方で継続することも可能とする。それにより、新たなワーキング無線リンクをセットアップすることが必要な場合に通常は必要とされる、旧来のランダムアクセスにおけるような、新たな無線リンクのセットアップに関連付けられる比較的遅く且つ時間のかかるシグナリングを回避することができる。
【００２９】
このように、ここでの実施形態は、無線リンクに伴う問題が存在する場合にワーキング無線リンクを達成することを促進し、並びに、旧来のランダムアクセス手続を実行するよりもより少ない遅延及びより少ないシグナリングオーバヘッドコストを可能とする。よって、ここでの実施形態は、概して、ワイヤレス通信ネットワークにおいて無線リンク問題をどのように管理するかに関して１つ以上の改善を提供する。
【図面の簡単な説明】
【００３０】
ここでの実施形態の例を、添付の概略図面を参照してより詳細に記述する。以下に図面について簡単に説明する。
【００３１】
【図１】ここでの実施形態が実装され得るワイヤレス通信ネットワークの一例を概略的に描いたブロック図である。
【図２】ワイヤレスデバイスが無線リンク問題（ＲＬＰ）を検出し及びそのＲＬＰを解決するために非サービングネットワークノードへコンタクトする、ここでの実施形態を説明するための第１の組み合わせられたシグナリング図及びフローチャートである。
【図３】ワイヤレスデバイスがＲＬＰを検出し及びそのＲＬＰを解決するためにサービングネットワークノードへコンタクトする、ここでの実施形態を説明するための第２の組み合わせられたシグナリング図及びフローチャートである。
【図４】サービングネットワークノードがワイヤレスデバイスについてのＲＬＰを検出し及びそのＲＬＰを解決するために非サービングネットワークノードへコンタクトする、ここでの実施形態を説明するための第３の組み合わせられたシグナリング図及びフローチャートである。
【図５】サービングネットワークノードがワイヤレスデバイスについてのＲＬＰを検出し及びそのＲＬＰを解決するためにそのワイヤレスデバイスへコンタクトする、ここでの実施形態を説明するための第４の組み合わせられたシグナリング図及びフローチャートである。
【図６】サービングネットワークノードにおいて実行される方法の実施形態を概略的に示すフローチャートである。
【図７】上記サービングネットワークノードの実施形態を示すための機能ブロック図である。
【図８】ワイヤレスデバイスにおいて実行される方法の実施形態を概略的に示すフローチャートである。
【図９】上記ワイヤレスデバイスの実施形態を示すための機能ブロック図である。
【図１０】非サービングネットワークノードにおいて実行される方法の実施形態を概略的に示すフローチャートである。
【図１１】上記非サービングネットワークノードの実施形態を示すための機能ブロック図である。
【図１２ａ】上記サービングネットワークノード、ワイヤレスデバイス、及び非サービングネットワークノードに方法のアクションを実行させるためのコンピュータプログラム及びコンピュータプログラムプロダクトに関連する実施形態を示す概略図である。
【図１２ｂ】上記サービングネットワークノード、ワイヤレスデバイス、及び非サービングネットワークノードに方法のアクションを実行させるためのコンピュータプログラム及びコンピュータプログラムプロダクトに関連する実施形態を示す概略図である。
【図１２ｃ】上記サービングネットワークノード、ワイヤレスデバイス、及び非サービングネットワークノードに方法のアクションを実行させるためのコンピュータプログラム及びコンピュータプログラムプロダクトに関連する実施形態を示す概略図である。
【発明を実施するための形態】
【００３２】
図１は、ここでの実施形態が実装され得る、例えば電気通信ネットワークといったワイヤレス通信ネットワーク１００の一例を概略的に描いている。この図は、ワイヤレス通信ネットワーク１００内での通信のためのワイヤレスデバイス１１５の一例をも示している。
【００３３】
ワイヤレス通信ネットワーク１００は、サービングネットワークノード１１０、第１の非サービングネットワークノード１１１ａ及び第２の非サービングネットワークノード１１１ｂを含み、これらは、基地局といった無線ネットワークノードであり得る。“サービング”及び“非サービング”との用語は、例示的なワイヤレスデバイス１１５に関係しており、下にさらに説明される。サービングネットワークノード１１０は、典型的には、図中その境界により指し示される第１の無線カバレッジエリア１１２における第１の無線カバレッジに関連付けられ、例えば当該カバレッジを提供する。第１の無線カバレッジエリア１１２ａは、その中に位置するワイヤレスデバイスにサービスするための比較的大きい面積の無線カバレッジであり、及び／又は、サービング無線ネットワークノードが送信するリファレンス信号をワイヤレスデバイスが受信することが可能なエリアに相当し得る。対応する複数の無線カバレッジエリア、即ち第２の無線カバレッジエリア１１３ａ及び第３の無線カバレッジエリア１１３ｂも図示されており、それらはそれぞれ、第１の非サービング無線ネットワークノード１１１ａ及び第２の非サービング無線ネットワークノード１１１ｂに対応して関連付けられている。
【００３４】
さらに、サービングネットワークノード１１０は、図中その境界により指し示される第１の代替的／追加的な無線カバレッジエリア１１７に関連付けられ、例えば当該カバレッジエリアを提供し得る。このカバレッジエリアは、１個又は数個のワイヤレスデバイスにサービスするための、但し典型的には１つのみのワイヤレスデバイス（例えば、ワイヤレスデバイス１１５）にサービスするための、いわゆるビーム形成により達成されるような、いわゆるビームにより提供される無線カバレッジ（即ち、比較的狭く且つ指向的な無線カバレッジ）に相当し得る。
【００３５】
同様に、第１の非サービングネットワークノード１１１ａ及び第２の非サービングネットワークノード１１１ｂは、それぞれ、対応する第２の代替的／追加的な無線カバレッジエリア１１８ａ及び第３の代替的／追加的な無線カバレッジエリア１１８ｂに関連付けられ、例えばそれらカバレッジエリアを提供し得る。
【００３６】
ここで使用されるところによれば、“無線ネットワークノード”は、それ自体、ワイヤレス通信ネットワークの一部であるように構成されるデバイスであって、直接的に又は間接的にワイヤレス通信ネットワーク１００内の１つ以上のワイヤレスデバイスにサービスするための無線カバレッジの提供の一部をなすいかなるデバイスへの言及でもあり、及びそれに言及するために使用され得る。
【００３７】
ここで使用されるところによれば、“無線カバレッジエリア”は、典型的には無線ネットワークノードにより提供される無線カバレッジのエリアであり、その無線カバレッジは、その無線ネットワークノードをその一部とし即ちそれを含むワイヤレス通信ネットワークへ、ワイヤレスデバイスがアクセスすることを可能とする。ある無線カバレッジエリアは、（例えば、無線カバレッジエリア１１２、１１３ａ〜ｂのうちのいずれも、）以下のうち１つ以上に関連付けられ得る：
無線カバレッジの無線周波数を指し示す、単一の周波数により表され得る、例えば周波数レンジ又は周波数帯域といった、１つ以上の周波数、
ワイヤレスデバイスがワイヤレス通信ネットワークへアクセスすることを可能とする、例えばアクセス情報テーブル（ＡＩＴ）の形の、例えば編集されたアクセス情報といった、アクセス情報の送信、及び、
ワイヤレス通信ネットワーク１００へのアクセスをその無線カバレッジが可能とし得ることをワイヤレスデバイスが初期に識別することを可能とするアクセス識別子であって、送信されるアクセス情報（例えば、ＡＩＴ）を例えばワイヤレスデバイスが見出し及びそれにアクセスすることができるように当該アクセス情報を識別し得る、アクセス識別子。
【００３８】
サービングネットワークノード１１０、第１の非サービングネットワークノード１１１ａ及び第２の非サービングネットワークノード１１１ｂは、典型的には、ネットワークノード及びワイヤレスデバイスの間の通信とは別個に、互いに通信する、ように構成される。ネットワークノード同士の通信は、代わりに、例えば、ネットワークノード通信インタフェース１１９ａ〜ｃにより図示されているように、別個の通信インタフェース上で行われてもよい。これらは典型的には、ネットワークノードが例えばサービスするように構成されるワイヤレスデバイスのための又はそれらワイヤレスデバイスを介した通信に依存することなく、ネットワークノード同士でロバストに且つ効率的に通信する手段を提供する。
【００３９】
さらに、サービング無線ネットワークノード１１０とワイヤレスデバイス１１５との間の第１の無線リンク１２１、第１の非サービングネットワークノード１１１ａとワイヤレスデバイス１１５との間の第２の無線リンク１２２ａ、及び第２の非サービングネットワークノード１１１ｂとワイヤレスデバイス１１５との間の第３の無線リンク１２２ｂ、もまた図示されている。
【００４０】
ここで使用されるところによれば、“ワイヤレスデバイスとネットワークノードとの間の無線リンク”とは、ダウンリンク及び／又はアップリンクデータの無線通信が可能とされるようにワイヤレスデバイス及び／又はネットワークノードが構成されていることへの言及であり、そのデータは、ワイヤレスデバイスに固有に関連付けられており、例えばいわゆるユーザデータである。このため、ワイヤレスデバイスがネットワークノードによりサービスされるために、即ち、当該ワイヤレスデバイスに固有に関連付けられるダウンリンク及び／又はアップリンクデータに関してサービスされるために、無線リンクが用意されていなければならない。無線リンクは、さらには、典型的には無線カバレッジに関連付けられ、例えば無線カバレッジに基づいており、例えば第１の無線リンク１１２は、第１の無線カバレッジエリア１１２及び／又は第１の代替的／追加的な無線カバレッジエリア１１７に関連付けられ得る。
【００４１】
ワイヤレス通信ネットワーク１００は、例えばワイヤレス通信ネットワーク１００の複数のネットワークノードを構成するための管理用ネットワークノード１３０を含み得る。管理用ネットワークノード１３０は、例えば、複数のネットワークノードについて有効な及び／又はそれらネットワークノードのために使用され並びに例えばそれらネットワークノードの間で共用される情報及び／又は機能性を含む及び／又は管理するノードであり得る。管理用ネットワークノード１３０は、ワイヤレス通信ネットワーク１００の事業者により制御されてもよい。管理用ネットワークノード１３０は、ワイヤレス通信ネットワーク１００内に含まれる好適なネットワークノード（例えば、基地局といった無線ネットワークノード）と、直接的に又は（例えば、１つ以上の他のノードを介して）間接的に通信可能に接続され得る。示されている例では、破線の矢印は、管理用ネットワークノード１３０がサービングネットワークノード１１０と通信可能に接続されていることを指し示しており、そのようなケースにおいては、図示されてはいないが、管理用ネットワークノード１３０は、典型的には、他のネットワークノード（例えば、第１及び第２の非サービングネットワークノード１１１ａ〜ｂといった基地局）へも直接的に又は間接的に通信可能に接続されている。
【００４２】
注目すべきこととして、図１は単に概略的且つ例示のためのものであり、当業者には明らかであろうように、図示されるすべてのものがここでのすべての実施形態にとって必要とされるわけではないかもしれない。また、実際にワイヤレス通信ネットワーク１００に相当する１つ又は複数のワイヤレス通信ネットワークは、当業者には理解されるように、典型的には、基地局等の複数のさらなるネットワークノードを含むであろうが、それらは簡略化のためにここでは示されない。
【００４３】
ここで使用されるところによれば、“無線リンク問題”、又は“ＲＬＰ（Radio  Link  Problem）”は、無線リンクに関連付けられる、当該無線リンク上の通信に悪影響を及ぼす問題への言及である。その問題は、無線リンクが機能しており当該問題に関連付けられていなかった（例えば、その問題を有していなかった）以前の状況との関連を有するかもしれない。例えば、無線リンク障害に関連付けられる、機能していない例えば障害を被った無線リンクが、ＲＬＰの一例であるが、機能してはいるものの無線リンク上の通信に関して何らかの形で劣化した無線リンクについても、ＲＬＰは存在し得る。無線リンク障害は、従来技術においてはＲＬＦ（Radio  Link  Failure）と称され得る。
【００４４】
既に述べたように、また当業者には理解されるであろうように、無線リンクは典型的には、無線カバレッジに基づき及び無線カバレッジに依存すらしている。このため、無線カバレッジが無いか、弱すぎるか、又は無線カバレッジに関連する他の何らかの問題がある場合に、典型的にＲＬＰが発生し得る。例えば、ワイヤレスデバイス１１５が第１の無線カバレッジエリア１１２の外へ移動してしまい及び／又は第１の代替的／追加的な無線カバレッジエリア１１７（例えば、ビーム）に到達していない場合、これは典型的にＲＬＰに帰着する。
【００４５】
ワイヤレスデバイスとサービングネットワークノードとの間の無線リンク、例えば、ワイヤレスデバイス１１５とサービングネットワークノード１１０との間の第１の無線リンク１２１についてのＲＬＰの検出は、ＲＬＰを検出するのがワイヤレスデバイス１１５であるか、それとも、ＲＬＰを検出するのがサービングネットワークノード１１０であるか、で異なり得る。ＲＬＰの検出は、ＲＬＰイベントと称され得る１つ以上のイベントの検出に相当し得る。
【００４６】
例えば、ワイヤレスデバイス１１５といったワイヤレスデバイスは、ＲＬＰ、又はＲＬＰイベントを、以下のうちの１つ以上に従って検出し得る：
・予期されたＤＬ信号が“消失”、例えば、スケジューリングされた又は周期的なＤＬリファレンス信号がしきい値を下回る。ＲＬＰが検出されたと見なされるまでにどの程度の期間その信号がしきい値を下回る必要があるかについて、タイマが構成され得る。
・モニタリングされるＤＬ信号が“出現”、例えば、スケジューリングされた又は周期的なＤＬリファレンス信号がしきい値を上回る。ＲＬＰが検出されたと見なされるまでにどの程度の期間その信号がしきい値を上回る必要があるかについて、タイマが構成され得る。
・典型的にはスケジューリングリクエストの送信後、又は競合ベースのチャネル送信後、ＵＬ送信への応答無し。ＲＬＰが検出されたと見なされるまでにいくつの送信信号に対して応答がなされない必要があるかについて、カウンタが適用され得る。
【００４７】
例えば、サービングネットワークノード１１０といったネットワークノードは、ＲＬＰ、又はＲＬＰイベントを、以下のうちの１つ以上に従って検出し得る：
・予期されたＵＬ信号が“消失”、例えば、スケジューリングされた又は周期的なＵＬリファレンス信号がしきい値を下回る。ＲＬＰが検出されたと見なされるまでにどの程度の期間その信号がしきい値を下回る必要があるかについて、タイマが構成され得る。
・モニタリングされるＵＬ信号が“出現”、例えば、スケジューリングされた又は周期的なＵＬリファレンス信号がしきい値を上回る。ＲＬＰが検出されたと見なされるまでにどの程度の期間その信号がしきい値を上回る必要があるかについて、タイマが構成され得る。
・典型的にはＵＬグラント又はＤＬ割り当てといった、ＤＬ送信への応答無し。ＲＬＰが検出されたと見なされるまでにいくつの送信信号に対して応答がなされない必要があるかについて、カウンタが適用され得る。
【００４８】
留意され得ることとして、ＲＬＰの例及びどのようにそれらが検出され得るかは、ＲＬＦが旧来どのように検出されるかによって異なる。
【００４９】
図２は、第１の組み合わせられたシグナリング図及びフローチャートを描いており、これは、ワイヤレスデバイス１１５が第１の無線リンク１２１についてのＲＬＰを検出し及びそのＲＬＰを解決するために非サービングネットワークノード１１１ａへコンタクトする、という第１の例示的なシナリオにおける実施形態を説明するために使用される。
【００５０】
以下のアクションは、任意の好適な順序で行われ、及び／又は、時間的重複が可能であり、好適な場合には全体として又は部分的に時間的に重複して遂行されてもよい。
【００５１】
アクション２０１ａ
サービングネットワークノード１１０は、第１の情報をワイヤレスデバイス１１５へ送信し、ワイヤレスデバイス１１５はその第１の情報を受信する。これは好ましくは、サービングネットワークノード１１０がワイヤレスデバイス１１５のためのサービングネットワークノードになることに関連して、又は、第１の無線リンク１２１が作動していることが知得された他の何らかの時点で、発生する。第１の情報は、第１の識別子を含み、及び、その第１の識別子が後に（例えば、所定の状況の最中に）ネットワークノード（例えば、第１の非サービングネットワークノード１１１ａ）から受信される場合にはそれはワイヤレスデバイス１１５とそのネットワークノードとの間でワーキング無線リンク（即ち、ＲＬＰ無しでの無線リンク）をセットアップすることをサービングネットワークノード１１０が承認したことを意味すること、をワイヤレスデバイス１１５へ通知する（例えば、指示する）。
【００５２】
これは、本説明の全体としての視点においてよりよく理解されるであろうように、第１の無線リンク１２１に伴う問題に応じてワーキング無線リンクがセットアップされる際に、ロバストであり包括的なシグナリングを可能とする。また、第１の識別子及び関連付けられる承認のおかげで、ワイヤレスデバイス１１５の観点から、ワーキング無線リンクが第１の無線リンク１２１の修復バージョンであるか、それとも、ワイヤレスデバイス１１５と第１の非サービングネットワークノード１１１ａとの間の新たな第２の無線リンク（例えば、第２の無線リンク１２２ａ）であるか、には非依存に同様のハンドリングで、ワーキング無線リンクをセットアップすることができる。よって、その新たなワーキング無線リンクは、サービングネットワークノード１１０を新たなサービングネットワークノードに置き換えることとなり、これは、非サービングネットワークノードが新たなサービングネットワークノードになる状況に相当する。第１の識別子、及び承認についての情報の使用は、第１の無線リンク１２１が修復されるケースにおいてのみならず、第１の無線リンク１２１と置き換えるために新たな第２の無線リンク（例えば、第２の無線リンク１２２ａ）がセットアップされる場合においても、第１の無線リンク１２１のコンテキストの使用を安全なやり方で継続することをも可能とする。これについては下にさらに説明する。それにより、例えば、少なくとも第１の無線リンク１２１が全く作動していない場合において新たなワーキング無線リンクをセットアップすることが必要なときに、ともすれば要していたはずの旧来のランダムアクセスによる新たな無線リンクのセットアップに関連付けられるような、比較的遅く且つ時間のかかるシグナリングを回避することができる。
【００５３】
図中、第１の識別子が簡易的な比較的小さなサイズの識別子であり得ることを指し示すために、第１の識別子はｔａｇ＿ｓと称されるタグとして例示されている。第１の識別子は、典型的には、ワイヤレス通信ネットワーク１００内において、又は、隣接する無線カバレッジに関連付けられる例えば基地局等のネットワークノード（示される例では、第１及び第２の非サービングネットワークノード１１１ａ〜ｂ）を少なくとも含む局所的な周辺において、サービングネットワークノード１１０を例えば一意に識別する識別子である。換言すれば、第１の識別子は、サービングネットワークノード１１０を含む所定の第１のローカルエリアにおいて一意であり、その第１のローカルエリアは、第１の無線カバレッジエリア１１２並びに第２及び第３の無線カバレッジエリア１１３ａ〜ｂを含み得る。当該所定の第１のローカルエリアは、予め決定され及び／又は予め定義され得る。
【００５４】
理解されるであろうように、第１の情報による通知は暗黙的に達成され得る。例えば、ワイヤレスデバイス１１５がサービングネットワークノードから、例えば構成メッセージなどの一部としてあるタイプの識別子を第１の識別子（例えば、ｔａｇ＿ｓ）として受信する場合にはそれは特別な意味を有すること、が既知とされ（例えば、予め決定され）てもよい。例えば、第１の識別子が後に（例えば、所定の状況の最中に）特定のメッセージの一部としてネットワークノード（例えば、第１の非サービングネットワークノード１１１ａ）から受信される場合にはそれはワイヤレスデバイス１１５とその第１の非サービングネットワークノード１１１ａとの間でワーキング無線リンクをセットアップすることをサービングネットワークノード１１０が承認したことを意味すること、がワイヤレスデバイス１１５にとって既知である。
【００５５】
いくつかの実施形態では、第１の情報は、第１の識別子が後にネットワークノードから（例えば、サービングネットワークノード１１０、又は非サービングネットワークノード１１１ａ〜ｂのうちのいずれか１つから）受信された場合にはそれは第１の無線リンク１２１のコンテキストが依然として有効でありよって上記ワーキング無線リンクのために使用を継続できることを意味することもまた、例えば上述したやり方と同一の又は同様のやり方で、ワイヤレスデバイス１１５へさらに通知（又は、指示）されてもよい。コンテキストについては下に別途、さらに説明し例示する。これにより、ワーキング無線リンクを達成するために新たな無線リンクがセットアップされるケースにおいても、第１の無線リンク１２１からのコンテキストを再使用することが可能となり、またそれにより、他のケースよりも時間を節約し及びワーキング無線リンクをより速く達成することが可能となる。
【００５６】
そのうえ、いくつかの実施形態では、第１の情報は、他の第２の識別子をさらに含み、及び、第１の無線リンク１２１に伴う問題が検出されたことに応じて１つ以上の候補ネットワークノードによる受信のために第２の識別子を含むメッセージを送信することを、例えば上述したやり方と同一の又は同様のやり方で、ワイヤレスデバイス１１５へさらに通知（例えば、指示）してもよい。当該候補ネットワークノードは、例えばサービングネットワークノード１１０並びに第１及び第２の非サービングネットワークノード１１１ａ〜ｂといった非サービングネットワークノードのうちの１つ以上を含む、例えばワイヤレスデバイス１１５により到達されるほど十分に近くに位置する任意の無線ネットワークノード又は基地局である。その１つ以上の候補ネットワークノードは、第１の無線リンク１２１の修復バージョンであるか又はそれに代わる無線リンク（例えば、第２若しくは第３の無線リンク１２２ａ〜ｂのうちのいずれか１つ）であり得る上記ワーキング無線リンクに関与するための候補であるノードである。よって、上記メッセージは、ワイヤレスデバイス１１５についての問題の無いワーキング無線リンクのセットアップへの参加に関連する。これに関連するさらなる情報及びそのメッセージの例については、下のアクション２０４を参照されたい。
【００５７】
図中、第２の識別子もまた簡易的な比較的小さなサイズの識別子であり得ることを指し示すために、第２の識別子はｔａｇ＿ｐと称されるタグとして例示されている。第２の識別子は、典型的には、ワイヤレス通信ネットワーク１００内において、又は、少なくともサービングネットワークノード１１０の近傍において（例えば、サービングネットワークノード１１０並びに、第１及び第２の非サービングネットワークノード１２２ａ〜ｂといった隣接する非サービングネットワークノードを含む近隣において）、ワイヤレスデバイス１１５を暗黙的に又は明示的に一意に識別するために使用可能な識別子である。即ち、図１に関連して、第２の識別子は、例えば第１の無線カバレッジエリア１１２並びに第２及び第３の無線カバレッジエリア１１３ａ〜ｂを含む、所定の第２のローカルエリアにおいて一意であり得る。当該所定の第２のローカルエリアは、予め決定され及び／又は予め定義され得る。当該所定の第２のローカルエリアは、所定の第１のローカルエリアと同じエリアであってもよいが同じエリアである必要はない。
【００５８】
なお、いくつかの実施形態では、例えばワイヤレスデバイス１１５が第２の識別子を既に認識しており、例えば以前に提供されたことがある場合には、第１の情報は第２の識別子を含む必要はない。このケースでは、ワイヤレスデバイス１１５は、第２の識別子及びそれを使用する手法の双方と共に予め構成されてもよく、その手法とは即ち、上述したように、第１の無線リンク１２１に伴う問題が検出されたことに応じて第２の識別子を含む上記メッセージを上記１つ以上の候補ネットワークノードによる受信のために送信することである。
【００５９】
このため、理解されるであろうように、本アクションは、例えば簡易的なメッセージに含まれる、多かれ少なかれ１つ又は２つの識別子を、サービングネットワークノード１１０からワイヤレスデバイス１１５へ送信することにより、実装され得る。
【００６０】
アクション２０１ｂ
サービングネットワークノード１１０は、ワイヤレス通信ネットワーク１００に含まれる、例えば第１及び第２の非サービングネットワークノード１１１ａ〜ｂを含む１つ以上の非サービングネットワークノードへ、第２の情報をさらに送信し得る。以下において、少なくとも第１の非サービングネットワークノード１１１ａが第２の情報を受信するものと想定する。ワイヤレスデバイス１１５のための新たなサービングネットワークノードとなり得る可能性のある非サービングネットワークノード（例えば、サービングネットワークノード１１０に隣接する、及び／又はワイヤレスデバイス１１５にある程度近い、及び／又はワイヤレスデバイス１１５の知られている若しくはあり得る位置にある程度近いもの）のすべてへ、第２の情報が送信されてもよい。
【００６１】
第２の情報は、第２の識別子を含み、及び、第１の無線リンク１２１に伴う問題が検出されるケースにおいて、ワイヤレスデバイス１１５についての問題の無い新たなワーキング無線リンク（例えば、第２及び第３の無線リンク１２２ａ〜ｂのうちのいずれか１つ）のセットアップへの参加を求めるリクエストに関連付けて第２の識別子が受信され得ること、を上記１つ以上の非サービングノードへ、即ち第２の情報の意図される受け手へ通知する。この手法で、上記リクエストを受信する非サービングネットワークノードは、第２の識別子についてのモニタリング及び／又は第２の識別子の受信時／受信した場合のトリガを行うことができるようになり、即ち、何をチェックすべきかを認識し、またそれにより、受信に応じて好適なハンドリングを適用することができる。例については下のアクション２０４〜２０７を参照されたい。
【００６２】
なお、第２の情報は、第１の情報と同様に、上記１つ以上の非サービングノードへ暗黙的な通知を行ってもよい。
【００６３】
このため、理解されるであろうように、アクション２０１ｂもまた、例えば簡易的なメッセージに含まれる、多かれ少なかれただ１つの識別子を、サービングネットワークノード１１０から上記ワイヤレスデバイス１１５へ送信することにより、実装され得る。
【００６４】
本アクションは、サービングネットワークノード１１０がワイヤレスデバイス１１５のためのサービングネットワークノードになることに関連して発生することが好ましい。というのも、その後どの時点でＲＬＰが発生し得るかは分り得ないからである。第２の情報は、典型的には、ネットワークノード通信インタフェースを介して第１の非サービングネットワークノード１１１ａへ、例えば第１のネットワークノード通信インタフェース１１９ａ上で送信される。
【００６５】
上記の点から注記され得ることとして、第２の識別子に関連付けられる情報は、アクション２０１ａ及びアクション２０１ｂにおいて異なり、即ち、第２の識別子がサービングネットワークノード１１０からワイヤレスデバイス１１５へ送信されるのか、それとも上記１つ以上の非サービングネットワークノードへ送信されるのか、に依存して異なる。これは、ワイヤレスデバイス１１５及び非サービングネットワークノードが、第２の識別子に対して並びに／又は第２の識別子を送信するノードのタイプ及び／若しくは第２の識別子が含まれるメッセージのタイプに依存して異なった応答をする、ように構成されることにより、簡単に達成されることができる。
【００６６】
アクション２０１ａ及び／又は２０１ｂは、ワイヤレス通信ネットワーク１００が例えばサービングネットワークノード１１０を通じて、ワイヤレスデバイス１１５における並びに第１及び第２の非サービングネットワークノード１１１ａ〜ｂにおけるＲＬＰ手続を構成すること又はその一部であるものと考えられてもよい。
【００６７】
アクション２０２
何らかの時点において、ワイヤレスデバイス１１５は、ＲＬＰを、例えばＲＬＰイベントの形で検出し得る。ＲＬＰ及びＲＬＰイベントは、ＲＬＰに関する上の説明によるものであり得る。ワイヤレスデバイス１１５は、ＲＬＰが発生し及びワイヤレスデバイス１１５により検出可能である際に／その場合において、常に、定期的に（例えば周期的に）、及び／又は所定の状況の最中にＲＬＰを検出する、ように構成されてよい。
【００６８】
アクション２０３
第１の非サービングネットワークノード１１１ａは、アクション２０１ｂにおいて受信した第２の情報に従って、アップリンクモニタリングの実行を開始し、即ち、第２の識別子を求めてアップリンク内をモニタリングし得る。このモニタリングは、例えば連続的又は周期的であり、例えば、第２の識別子のような識別子を送信するために割り当てられ及び／又は使用されるチャネルといった固有のチャネル上で実行されてもよい。そうしたチャネルは、アップリンクＲＬＰ支援チャネルなどと称されてもよい。アップリンクモニタリングは、アクション２０１ｂにおける第２の情報の受信に応じて及び／又は所定時間の非アクティビティの後に始動してもよい。非アクティビティタイマが使用されてもよい。第１の非サービングネットワークノード１１１ａは、概して、第２の識別子を含む所定のタイプの識別子を求めてアップリンクモニタリングを実行し得る。
【００６９】
アクション２０４
ワイヤレスデバイス１１５は、ワイヤレス通信ネットワーク１００に含まれる１つ以上の非サービングネットワークノードへ、第２の識別子を含む無線リンク問題検出メッセージを送信し得る。本例では、第１の非サービングネットワークノード１１１ａが、そうしたノードの１つであり及び例えばアクション２０３におけるモニタリングの結果としてのその無線リンク問題検出メッセージを受信するものと想定する。無線リンク問題検出メッセージは、ワイヤレスデバイス１１５がアクション２０２においてＲＬＰを検出したことに応じて送信される。無線リンク問題検出メッセージは、ワイヤレスデバイス１１５についての問題の無い新たなワーキング無線リンク（例えば、第２の無線リンク１２２ａ）のセットアップに参加することを、上記１つ以上の（即ち、第１の非サービングネットワークノード１１１ａを含む）非サービングネットワークノードにリクエストする。
【００７０】
理解されるように、無線リンク問題検出メッセージを受信する非サービングネットワークノードは、例えば第１の非サービングネットワークノード１１１ａのような非サービングネットワークノードを含み、当該非サービングネットワークノードは、アクション２０１ｂにおいて第２の情報を受信済みであって、それにより第２の識別子を認識しており、（アクション２０３における第１の非サービングネットワークノードのように）第２の識別子についてモニタリング中であり得る。
【００７１】
ワイヤレスデバイス１１５は、ＲＬＰを検出すると本アクションに従って実行するように、デフォルトにより及び／又は例えばアクション２０１ｂなどに関連して受信される構成により、予め構成されてもよい。無線リンク問題検出メッセージは、受信可能であるほど十分近くにいるいかなる非サービング及び／又はサービングネットワークノードによっても受信され得るように、例えば送出され、例えばブロードキャストされ得る。
【００７２】
図２により例示されるシナリオにおいて想定されることとして、サービングネットワークノード１１０は、無線リンク問題検出メッセージも、第１の無線リンク１２１の修復をリクエストし得る他のメッセージも受信しない（例えば、受信できない）。この受信不可であることは、図中で黒の×印で指し示されている。なお、第１の無線リンク１１５に伴う問題が存在する場合、ワイヤレスデバイス１１５がサービングネットワークノード１１０に到達できないことは、むしろよくある状況であることが理解されるべきである。
【００７３】
上に示したように、第２の識別子（例えば、ｔａｇ＿ｐ）は、明示的であれ暗黙的であれワイヤレスデバイス１１５を識別するために、受信側の非サービングネットワークノード（ここでは、第１の非サービングネットワークノード１１１ａ）により使用されることができるものである。
【００７４】
アクション２０５
第１の非サービングネットワークノード１１１ａは、無線リンク情報リクエストメッセージをサービングネットワークノード１１０へ送信してよく、サービングネットワークノード１１０はそれを受信する。第１の非サービングネットワークノード１１１ａは、アクション２０４において受信した無線リンク問題検出メッセージに応じて、このメッセージを送信し得る。無線リンク情報リクエストメッセージは、第１の無線リンク１２１のコンテキストについての情報を求める。このコンテキストは、第１の非サービング無線ネットワークノード１１１ａとワイヤレスデバイス１１５との間の第２の無線リンク１２２ａといった上記新たなワーキング無線リンクのために継続して使用されることができる。
【００７５】
換言すれば、第１の非サービングネットワークノード１１１ａといった非サービングノードがアクション２０４において第２の識別子を伴う無線リンク問題検出メッセージを受信し、及びそれによりワイヤレスデバイス１１５が識別されそのため非サービングネットワークノードにより知得された後では、当該非サービングネットワークノードは、問題のある無線リンクに関連する情報を受信するためにサービングノード１１０にコンタクトすることができる。
【００７６】
ワイヤレスデバイス１１５を識別する第２の識別子を与えられたワイヤレスデバイス１１５のサービングネットワークノードがどれか、を第１の非サービングネットワークノード１１１ａは既に知っているかもしれず、というのも、事前に（アクション２０１ｂにおいて）サービングネットワークノード１１０から第２の識別子を受信しているかもしれないからである。しかしながら、第２の識別子を与えられたサービングネットワークノードがどれか、を第１の非サービングネットワークノード１１１ａが直接的に知らない場合、第１の非サービングネットワークノード１１１ａは、例えば第２の非サービングネットワークノード１１１ｂ及び／又はサービングネットワークノード１１０を含む隣接するネットワークノードに、第２の識別子に関連付けられるワイヤレスデバイス１１５をそれらが認識しているかどうかを問い合わせてもよい。そうした問い合わせに、サービングネットワークノード１１０自体又は例えば第２の非サービングネットワークノード１１１ｂが応答し、それにより第１の非サービングネットワークノード１１１ａはサービングネットワークノード１１０を見出すことができ及びサービングネットワークノード１１０へ無線リンク情報リクエストメッセージを送信することができるようになり得る。代替的に又は追加的に、第１の非サービングネットワークノード１１１ａは、第２の識別子を使用して、管理ノード（図示せず）及び／又は中央サーバ（図示せず）から、例えば第２の識別子に関連するサービングノードアイデンティティについての情報を得ることにより、サービングネットワークノードについての情報を取り出してもよい。識別子及び関連付けられる情報を扱うために管理ノード及び／又は中央サーバ等が使用される際に／その場合に、サービングネットワークノード１１０もまた、そうした目的のために管理ノード及び／又は中央サーバを使用してもよい。これは例えば、アクション２０１ａにおけるように、サービングネットワークノード１１０がワイヤレスデバイス１１５のためのサービングネットワークノードになったときに関連して、及び／又は例えばワイヤレスデバイス１１５の構成に関連して、発生し得る。管理ノードは、管理用ネットワークノード１３０に相当し得るが、そうである必要はない。
【００７７】
アクション２０６
サービングネットワークノード１１０は、第１の非サービングネットワークノード１１１ａへ、上記第１の識別子及び上記コンテキストについての情報を含む無線リンク情報レスポンスメッセージを送信してよく、第１の非サービングネットワークノード１１１ａはそれを受信する。無線リンク情報レスポンスメッセージは、アクション２０５において送信された無線リンク情報リクエストメッセージに応じて送信され及び受信され得る。コンテキストについての受信された情報がサービングネットワークノードにより承認されていることの“証明（proof）”を第１の非サービングネットワークノード１１１ａが有するようにまたそれによりワイヤレスデバイス１１５に対してそれを証明するために第２の識別子を使用することができる（次のアクションを参照）ように、第２の識別子がコンテキストと共にサービングネットワークノード１１０から受信されてもよい。
【００７８】
無線リンク情報レスポンスメッセージは、コンテキストについて含み得る及び／又は関連付けられ得る情報の数例を挙げるだけでも、例えば、ワイヤレスデバイス１１５についての最新のコンテキスト、いくつか又は全てのプロトコルレイヤの状態、（もしあれば）ワイヤレスデバイス１１５宛ての未送信のＤＬデータ、（もしあれば）ワイヤレスデバイス１１５からサービングネットワークノード１１０により受信され及びサービングネットワークノード１１０内の並べ替えバッファ内で待機しているＵＬデータ、ＨＡＲＱ（Hybrid  Automatic  Repeat  Request）バッファ内の１つ以上のソフトビット、のうちの数個以上を含み得る。
【００７９】
アクション２０７
第１の非サービングネットワークノード１１１ａは、ワイヤレスデバイス１１５へ、無線リンク再確立リクエストメッセージを送信してよく、ワイヤレスデバイス１１５はそれを受信する。当該無線リンク再確立リクエストメッセージは、第１の識別子を含み得る。このため、サービングネットワークノード１１０との間の問題のある第１の無線リンク１２１と置き換えるために第１の非サービングネットワークノード１１１ａとの間の新たな無線リンク（例えば、第２の無線リンク１２２ａ）を再確立することをサービングネットワークノード１１０が承認したことを、ワイヤレスデバイス１１５は第１の識別子のおかげで知り得る。サービングネットワークノード１１０との間で有していたコンテキストが今や第１の非サービングネットワークノード１１１ａとの間の新たな無線リンクのために利用可能であり及び再使用されてよく又は再使用されるであろうことを、ワイヤレスデバイス１１５は、無線リンク再確立リクエストメッセージ及び／又はそれに含まれる第１の識別子により、追加的に通知されてもよい。
【００８０】
いくつかの実施形態では、第１の識別子は、ワイヤレスデバイス１１５の制御チャネル構成に関連付けられ、例えば関連し得る。そのため、ワイヤレスデバイス１１５は、サービングネットワークノード１１０が送信を承認したことを、制御チャネル上のスケジューリング割り当て及び／又はグラントの検出を通じて通知される場合があり、そうしたケースにおいては、明示的な再構成メッセージは不要かもしれず、また、第１の識別子が無線リンク再確立リクエストメッセージに含まれる必要はないかもしれない。
【００８１】
アクション２０８
ワイヤレスデバイス１１５は、第１の非サービングネットワークノード１１１ａへ、無線リンク再確立確認メッセージを送信し得る。これは、先のアクションにおいて無線リンク再確立リクエストメッセージを受信し及び第１の非サービングネットワークノード１１１ａとの間で新たな無線リンクをセットアップすることをワイヤレスデバイス１１５が受け入れたこと、に応じてなされ得る。
【００８２】
アクション２０７〜２０８は、ワイヤレスデバイス１１５と第１の非サービングネットワークノード１１１ａとの間の新たな無線セットアップ手続の初期アクションの一部であると見なされてもよい。この手続は、典型的には、理解されるであろうように、さらなるアクションも含み、及び、ワイヤレスデバイス１１５について問題の無い新たなワーキング無線リンク（示される例では、第２の無線リンク１２２ａ）がセットアップされることに最終的に帰着する。
【００８３】
図３は、第２の組み合わせられたシグナリング図及びフローチャートを描いており、これは、ワイヤレスデバイス１１５が第１の無線リンク１２１についてのＲＬＰを検出し及びそのＲＬＰを解決するためにサービングネットワークノード１１１ａへコンタクトする、という第２の例示的なシナリオにおける実施形態を説明するために使用される。
【００８４】
以下のアクションは、任意の好適な順序で行われ、及び／又は、時間的重複が可能であり、好適な場合には全体として又は部分的に時間的に重複して遂行されてもよい。
【００８５】
アクション３０１
このアクションは上述のアクション２０１ａに相当するので、ここではさらなる説明を行わない。
【００８６】
アクション３０２
このアクションは上述のアクション２０２に相当するので、ここではさらなる説明を行わない。
【００８７】
アクション３０３
このアクションは、上述のアクション２０３に相当し得るが、ここでは第１の非サービングネットワークノード１１１ａではなくサービングネットワークノード１１０により実行される。よって、モニタリングは、アクション２０１ｂにおいて送信される第２の情報によるものであり得るが、その情報（特に、第２の識別子）は、サービングネットワークノードにとって既知である。アップリンクモニタリングは、サービングネットワークノード１１０がワイヤレスデバイス１１０へのサービスを開始したこと（即ち、サービングネットワークノード１１０になったこと）に直接的に関連して、及び／又は、第１の無線リンク１２１が最初に確立されたときに、及び／又は、非アクティビティタイマが満了した後に、始動してもよい。
【００８８】
しかしながら、必要とされるわけではないが、ネットワークノードが、自身がサービスしているワイヤレスデバイスにより検出される無線リンク問題についてモニタリングを行っている（即ち、本例におけるようにワイヤレスデバイスのためのサービングネットワークノードである）か、それとも、自身がサービスしていないワイヤレスデバイスにより検出される無線リンク問題についてモニタリングを行っている（即ち、先の図２の例におけるようにワイヤレスデバイスにとって非サービングネットワークノードである）か、に依存して、モニタリングそれ自体が異なって見えるかもしれない。
【００８９】
本アクションがアクション２０３と同じである場合、必要とされる異なるシグナリングは少なく、実装はより単純である、という利点がある。代替的に、本アクションとアクション２０３とはある程度異なってもよく、例えば、モニタリングは、他のメッセージを対象とし、及び／又は、第２の識別子を、アクション２０３におけるものとは別のチャネル上で求めるものである。これは、例えばより効率的なモニタリングが可能とされ得るといった、他の利点を有し得る、というのも、例えば、サービスするネットワークノードとサービスされるワイヤレスデバイスとの間の特別な関係が利用され得るからである。
【００９０】
アクション３０４
ワイヤレスデバイス１１５は、アクション３０２における検出に応じて、無線リンク訂正リクエストメッセージをサービングネットワークノード１１０へ送信し得る。サービングネットワークノード１１０はそれを、例えばアクション３０３におけるモニタリングの結果として受信する。第２の識別子を含み得る無線リンク訂正リクエストメッセージは、第１の無線リンク１２１を問題の無いワーキング無線リンクにするために当該リンクの修復に参加することをサービングネットワークノード１１０に求める。
【００９１】
いくつかの実施形態では、無線リンク訂正リクエストメッセージは、アクション２０４において上で説明した無線リンク問題検出メッセージに対応し、及びそれと同じであってもよい。
【００９２】
上に示したように、第２の識別子（例えば、ｔａｇ＿ｐ）が本アクションにおける無線リンク訂正リクエストメッセージに含まれている場合、それは明示的であれ暗黙的であれワイヤレスデバイス１１５を識別していてもよい。識別それ自体はサービングネットワークノード１００により必要とされないかもしれないが、無線リンク訂正リクエストメッセージと無線リンク問題検出メッセージとが同一のメッセージである場合に特に、識別は依然として有利であり得る。というのも、それにより、より少ないシグナリングが可能とされ、及び、ＲＬＰが存在するときに、ネットワークは、サービングネットワークノードであるか非サービングネットワークノードであるかに関わりなく同じやり方で通知されることができるからである。それでも、サービングネットワークノードは、第２の識別子を受信すると、受信した第２の識別子により識別されるワイヤレスデバイスにとって自身がサービングネットワークノードであるか否かを容易に見出すことができることから、例えば既存の無線リンクを修復し又は新たな無線リンクをセットアップすることによる異なるハンドリングで、ワーキング無線リンクを達成することが可能である。また、ワイヤレスデバイス１１５を識別する第２の識別子が本アクションにおいて送信される場合、これは、いくつものワイヤレスデバイスが同時にサービスされているケースにおいて、どのワイヤレスデバイスがＲＬＰを有しているのかをサービングネットワークノード１１０が見出す助けとなる。
【００９３】
アクション３０５
アクション３０４において送信された無線リンク訂正リクエストメッセージに応じて、サービングネットワークノード１１０は、無線リンク訂正レスポンスメッセージを送信してよく、ワイヤレスデバイス１１５はそれを受信する。無線リンク訂正レスポンスメッセージは、第１の識別子を含み得る。このため、このケースにおいても、アクション３０１において受信された第１の情報に従って及び第１の識別子のおかげで、返信が実際にサービングネットワークノード１１０からであること、及び第１の無線リンク１２１の修復をサービングネットワークノード１１０が承認したこと、をワイヤレスデバイスは通知され得る。また、第１の識別子が存在し且つサービングネットワークノード１１０を識別する場合、これは、例えば非サービングネットワークノード群も無線リンク訂正レスポンスメッセージを伴って返信することが可能とされている実施形態において、ワイヤレスデバイス１１５が、サービングネットワークノード１１０から受信される無線リンク訂正レスポンスメッセージを非サービングネットワークノードから受信されるそうしたメッセージと区別することを可能とする。
【００９４】
アクション３０６
アクション３０４〜３０５を通じてサービングネットワークノード１１０及びワイヤレスデバイス１１５の双方がＲＬＰに気付き及び第１の無線リンク１２１を修復することによりＲＬＰを訂正することに合意した場合、無線リンク修復手続に従って必要なアクションが実行される。この手続は、理解されるであろうように、第１の無線リンク１２１が修復されて問題の無いワーキング無線リンクに再びなること、に最終的に帰着する。本アクションの無線リンク修復手続は、第１の無線リンクについて最適化手続を実行することに対応してもよい。この手続は、その無線リンク１２１が最初にセットアップされたときに使用された手続であってもよい。しかしながら、修復については、並びに／又はコンテキストを利用し及び／若しくは維持することが可能な場合には、その手続は以前よりも迅速であり得る。
【００９５】
アクション３０４〜３０５及び／又は無線リンク修復手続は直接的に実行されてもよく、又は代替的に、ユーザデータを送信するために問題を解決せねばならなくなるまで、第１の無線リンク１２１についてＲＬＰをそのままに、即ち問題のある無線リンクのままとしておくことができる。そのケースでは、ワイヤレスデバイス１１５への／からのユーザデータの何らかの次回の送信が、無線リンク修復手続の開始点であり得る。無線リンク修復手続が始まると、双方の側でロバストなアンテナ構成が使用され得るが、これは、無線リンク修復手続の終了時に、即ち第１の無線リンク１２１が修復されたときに、ユーザデータの送信のためのより一般的なアンテナ構成が使用されるように、最適化手続を通じて変更されることができる。
【００９６】
図４は、第３の組み合わせられたシグナリング図及びフローチャートを描いており、これは、サービングネットワークノード１１０が第１の無線リンク１２１についてのＲＬＰを検出し及びそのＲＬＰを解決するために第１の非サービングネットワークノード１１１ａへコンタクトする、という第３の例示的なシナリオにおける実施形態を説明するために使用される。
【００９７】
以下のアクションは、任意の好適な順序で行われ、及び／又は、時間的重複が可能であり、好適な場合には全体として又は部分的に時間的に重複して遂行されてもよい。
【００９８】
アクション４０１ａ
このアクションは上述のアクション２０１ａに相当するので、ここではさらなる説明を行わない。
【００９９】
アクション４０１ｂ
このアクションは上述のアクション２０１ｂに相当するので、ここではさらなる説明を行わない。
【０１００】
アクション４０２
何らかの時点において、サービングネットワークノード１１０は、ＲＬＰを、例えばＲＬＰイベントの形で検出し得る。ＲＬＰ及びＲＬＰイベントは、ＲＬＰに関する上の説明によるものであり得る。サービングネットワークノード１１０は、ＲＬＰが発生し及びサービングネットワークノード１１０により検出可能である際に／その場合において、常に、定期的に（例えば周期的に）、及び／又は所定の状況の最中にＲＬＰを検出する、ように構成されてよい。
【０１０１】
アクション４０３
第１の無線リンク１１５のＤＬ非アクティビティの時間ピリオドを測定するために、ＲＬ非アクティビティタイマが使用されてもよい。ここで使用されるところによれば、無線リンクの非アクティビティとは、ユーザデータの送信が無いことを含めて、無線リンク上で活動が何も検出されないことを意味する。いくつかの実施形態では、このタイマはゼロ秒に設定されてもよい。
【０１０２】
アクション４０４
ワイヤレスデバイス１１５は、ダウンリンクモニタリングを、即ち、ＲＬＰが識別されたことを指し示す所定のメッセージ及び／又は識別子を求めてダウンリンク内のモニタリングを開始し得る。ダウンリンクモニタリングは、アクション４０３に応じて、即ち、所定時間の非アクティビティの後に始動してもよい。ＲＬＰ検出は、検出を行ったのがワイヤレデバイス１１５でない場合、サービングネットワークノード１１０によりなされたものであると典型的に示唆される。モニタリングは、例えば連続的又は周期的であってよく、また、例えば、検出されたＲＬＰについて通知するために割り当てられ及び／又は使用されるチャネルといった、固有のチャネル上で実行されてもよい。そうしたチャネルは、ダウンリンクＲＬＰ支援チャネルなどと称されてもよい。ワイヤレスデバイス１１５は、概して、所定のタイプのメッセージ及び／又は識別子を求めてダウンリンクモニタリングを実行し得る。
【０１０３】
アクション４０５
サービングネットワークノード１１０は、アクション４０４の検出に応じて、第１の非サービングネットワークノード１１１ａを含む１つ以上の非サービングネットワークノードへ、無線リンク問題支援リクエストメッセージを送信し得る。無線リンク問題支援リクエストメッセージは、第２の識別子を含み、及び、ワイヤレスデバイス１１５についての問題の無い新たなワーキング無線リンクのセットアップへの参加を求め得る。本例では、第１の非サービングネットワークノード１１１ａがその無線リンク問題検出メッセージを受信するネットワークノードであると想定する。しかしながら、ワイヤレスデバイス１１５のための新たなサービングネットワークノードになる可能性のある非サービングネットワークノード（例えば、サービングネットワークノード１１０に隣接するもの、及び／又はワイヤレスデバイス１１５の所定の近傍にあるもの、及び／又はワイヤレスデバイス１１５の既知の若しくはあり得る位置の所定の近傍にあるもの）のすべてへ、無線リンク問題支援リクエストメッセージが送信されてもおい。無線リンク問題支援リクエストメッセージは、アクション４０１ｂにおける第２の情報と同じ非サービングネットワークノードへ送信されてもよい。
【０１０４】
無線リンク問題支援リクエストメッセージは、先に説明したようなネットワークノード間の通信のためのロバストなインタフェース上で（例えば、ネットワークノード通信インタフェース１１９ａ上で）有利に送信される。
【０１０５】
アクション４０６
サービングネットワークノード１１０は、アクション４０２における検出に応じて、ワイヤレスデバイス１１５へＲＬＰ修復リクエストメッセージをも送信してよい。このＲＬＰ修復リクエストメッセージは、第１の識別子を含み得る。これは、アクション４０５において無線リンク問題支援リクエストメッセージを送信する時と実質的に同じ時間に行われてもよく、但し、修復リクエストメッセージは、別のインタフェース上でワイヤレスデバイスへ無線で送信される。別のオプションは、本アクションのメッセージを最初に送信して、第１の無線リンク１２１をまず修復することが可能であるかどうかを確認し、もし不可能な場合に、アクション４０５における問題支援リクエストメッセージを送信する、というものである。しかしながら、これは遅延をもたらし、したがって、代わりに双方のメッセージを同時に送信することが有益であるかもしれない。というのも、修復を行うかそれとも新たな無線リンクをセットアップするかについては後でも決断できるからである。いずれのケースでも、図４の本シナリオについては、ＲＬＰ修復リクエストメッセージがワイヤレスデバイス１１５へ送信される場合、図中、太字の黒い×印により指し示されるように、そのメッセージは依然としてワイヤレスデバイス１１５へ到達していないものと想定する。第１の無線リンク１１５に伴う問題が存在するため、このようなことが起こる可能性は多分にある。ＲＬＰ修復リクエストメッセージのさらなる説明、及びそれがワイヤレスデバイス１１５に到達するときのシナリオに関する情報については、下記（特に、アクション５０５及び図５）を参照されたい。
【０１０６】
アクション４０７
アクション４０５において無線リンク問題支援リクエストメッセージを受信する非サービングネットワークノード（例えば、第１の非サービングネットワークノード１１１ａ）は、第２の識別子を通じてワイヤレスデバイス１１５を識別し、それにより、ワイヤレスデバイスへの新たな無線リンクを確立することができそうかどうかを確かめるために少なくともそのワイヤレスデバイスへのコンタクトを試行することができる。例えば、受信された無線リンク問題支援リクエストメッセージに応じて、例えば所定のメッセージ及び／又は第３の識別子を含むＲＬＰ支援送信が、ワイヤレスデバイス１１５へ送信され得る。これは、ワイヤレスデバイス１１５が存在し及びそれを受信することができるかどうかを送信側の非サービングノードが知ることなく、送信されてもよい。ワイヤレスデバイスが本アクションの送信信号を受信したことを送信元の非サービングネットワークノードが知り得る唯一の術は、送信元の非サービングネットワークノードが確認信号（confirmation）を受信するかどうか、であり得る。例えば、下のアクション４０８を参照されたい。
【０１０７】
図中、第３の識別子もまた簡易的な比較的小さなサイズの識別子であり得ること並びに第１及び第２の識別子とは異なり得ることを指し示すために、第３の識別子はｔａｇ＿ｔと称されるタグとして例示されている。第３の識別子は、本アクションの特定の送信を及び／又はそのメッセージを識別する識別子であり得る。いくつかの実施形態では、第３の識別子は、それを送信する非サービングネットワークノードを識別し、他の実施形態では、第３の識別子は、ワイヤレスデバイス１１５を識別する第２の識別子であってもよい（例えば、ｔａｇ＿ｔはｔａｇ＿ｐであってもよい）。後者のケースにおいて、例えば第１の非サービングネットワークノード１１１ａが第２の識別子について知ることができる唯一の術がそれがサービングネットワークノード１１０から前もって第１の情報を受信していたかどうか（アクション４０１ｂを参照）となる場合に、ワイヤレスデバイス１１５は、その受信により、例えば第１の非サービングネットワークノード１１１ａがサービングネットワークノード１１０とコンタクトしたに違いないことを暗黙的に通知され得る。
【０１０８】
例えばアクション４０６におけるＲＬＰ修復リクエストメッセージと本アクションにおけるＲＬＰ支援送信とが、例えば同じタイプ又は種類のメッセージに基づく、同じタイプのシグナリングである場合、ワイヤレスデバイス１１５は、異なる識別子が使用されているならば、それを利用して、どちらがサービングネットワークノード１１０に由来しどちらが第１の非サービングネットワークノード１１１ａに由来するのかを見出すことが可能であり得る。
【０１０９】
アクション４０８
ワイヤレスデバイスがＲＬＰ支援送信を受信した場合（例えば、以下で想定されるようにワイヤレスデバイス１１５がアクション４０７においてＲＬＰ支援送信を受信した場合）、ワイヤレスデバイス１１５は、応答として、ＲＬＰ支援確認信号を、例えばメッセージの形で送信し得る。即ち、ワイヤレスデバイス１１５は、本アクションにおいて、ＲＬＰ支援確認信号を第１の非サービングネットワークノード１１１ａへ送信し得る。非サービングネットワークノードがワイヤレスデバイスからＲＬＰ支援確認信号を受信する場合、それは、その非サービングネットワークノードがそのワイヤレスデバイス１１５への新たなワーキング無線リンクを確立することができ得る、という確認応答であると見なされてよい。
【０１１０】
ＲＬＰ支援確認信号は、第２の識別子を含み、それにより、それを受信する非サービングネットワークノードは、その確認信号を送信したワイヤレスデバイスのアイデンティティについて通知され得る。換言すれば、第１の非サービングネットワークノード１１１ａは、ＲＬＰ支援確認を受信する場合、その確認信号を送信したのがワイヤレスデバイス１１５であること及びそのため第１の非サービングネットワークノード１１１ａはワイヤレスデバイス１１５への新たなワーキング無線リンクを確立することができ得ることを、第２の識別子によって通知され得る。
【０１１１】
アクション４０９
第１の非サービングネットワークノード１１１ａは、無線リンク情報リクエストメッセージをサービングネットワークノード１１０へ送信してよく、サービングネットワークノード１１０はそれを受信する。第１の非サービングネットワークノード１１１ａは、このメッセージを、アクション４０８において受信されるＲＬＰ支援確認信号への応答として送信し得る。このアクションの残りは上述のアクション２０５に相当するので、ここではさらなる説明を行わない。
【０１１２】
アクション４１０〜４１２
これらのアクションは上述のアクション２０６〜２０８に相当するので、ここではさらなる説明を行わない。
【０１１３】
図５は、第４の組み合わせられたシグナリング図及びフローチャートを描いており、これは、サービングネットワークノード１１０が第１の無線リンク１２１についてのＲＬＰを検出し及びそのＲＬＰを解決するためにワイヤレスデバイス１１５へコンタクトする、という第４の例示的なシナリオにおける実施形態を説明するために使用される。
【０１１４】
以下のアクションは、任意の好適な順序で行われ、及び／又は、時間的重複が可能であり、好適な場合には全体として又は部分的に時間的に重複して遂行されてもよい。
【０１１５】
アクション５０１
このアクションは上述のアクション２０１ａに相当するので、ここではさらなる説明を行わない。
【０１１６】
アクション５０２
このアクションは上述のアクション４０２に相当するので、ここではさらなる説明を行わない。
【０１１７】
アクション５０３〜５０４
これらのアクションは上述のアクション４０３〜４０４に相当するので、ここではさらなる説明を行わない。
【０１１８】
アクション５０５
このアクションは上述のアクション４０６に相当するが、本例示的なシナリオでは、ＲＬＰ修復リクエストメッセージがワイヤレスデバイス１１５へ到達可能であると想定する。このため、本アクションにおいて、サービングネットワークノード１１０は、アクション５０２におけるＲＬＰの検出に応じて、ＲＬＰ修復リクエストメッセージをワイヤレスデバイス１１５へ送信し得る。ＲＬＰ修復リクエストメッセージは、第１の識別子を含んでよく、第１の無線リンク１２１を問題の無いワーキング無線リンクにするために当該リンクの修復に参加することをワイヤレスデバイス１１５に求める。
【０１１９】
アクション５０６
本アクションは、ワイヤレスデバイス１１５がＲＬＰ修復リクエストメッセージに対しＲＬＰ修復レスポンスメッセージなどで応答することで始動してもよい。これにより、サービングネットワークノード１１０は、検出されたＲＬＰについてワイヤレスデバイス１１５への通知がなされたこと、並びに、サービングネットワークノード１１０とワイヤレスデバイス１１５とがアップリング及びダウンリンクで互いに通信できること、を知得することができる。当該通信は、本アクションが完全に遂行されるために、即ち、無線リンク修復手続に従うアクションを実行することができるために、必要であり得る。この手続は、理解されるであろうように、第１の無線リンク１２１が修復されて問題の無いワーキング無線リンクに再びなることに最終的に帰着する。本アクションの残りは、適宜変更されつつ、アクション３０６について上述したように実行され得るので、ここではさらに詳細には説明されない。
【０１２０】
なお、上記のいくつかのアクションは、代替的に、示したものとは別のネットワークノードにより遂行されてもよい。例えば、構成に関するアクション２０１ａ及び／又は２０１ｂは、サービングネットワークノード１１０により実行される必要はなく、原則的に任意のネットワークノードによって、例えばその時点の又は以前のサービングネットワークノードを介して管理ノード（図示せず）により、例えば他の構成アクションの一部として、実行されてもよい。
【０１２１】
上記において、ＲＬＰが検出されたが未だに解決されていないことがわかっている際のワイヤレスデバイス１１５への／からのシグナリングは、第１の無線リンク１２１に伴う検出された問題に関わらずワイヤレスデバイス１１５及び／又は関与するネットワークノード（典型的にはサービングネットワークノード１１０）へ到達するために特に適合される無線シグナリングを使用して遂行されてもよい。そうした固有のシグナリングは、例えば、上記アクション３０４〜３０６及び５０５〜５０６のうちの１つ以上におけるメッセージ及び／又は送信に関わり得る。
【０１２２】
その固有のシグナリングは、例えば、よりロバストなタイプのシグナリング及び／又は他のアンテナの使用及び／又はより広いビームの使用及び／又はよりロバストなビーム及び／又は他のよりロバストな構成により、達成され得る。よりロバストなビームとは、無線リンクが作動している際に使用され得る旧来の狭いビームとに関連し、典型的には、より低いデータレート、より低いアンテナ利得、及び／又はより広いビーム幅、を意味する。いずれのケースでも、その固有のシグナリングは、情報が意図される受け手へ到達する確率を引き上げ、例えばその後、ワーキング無線リンクを達成するために適切な対策を取ることができるようにする。この特に適合されるシグナリングは、その固有のシグナリングを使用して送信されるものが意図される受け手へ到達する場合にはそれは第１の無線リンク１２１を修復（例えば、訂正）するか又は新たなワーキング無線リンクをセットアップすることができる妥当な確率があることを意味するように選択され及び／又は構成され得る。
【０１２３】
さらに、上記から理解されるように、図３及び図５は、サービングネットワークノード１１０及びワイヤレスデバイス１１５が第１の無線リンク１２１を修復するシナリオである。第１の無線リンク１２１に伴うＲＬＰのケースにおいてこれを達成するために、ＲＬＰが検出されるケースにおいてそれが解決されるまで、サービングネットワークノード１１０とワイヤレスデバイス１１５との間の通信に関してフォールバック手続が存在し得る。フォールバック手続は、例えば上で説明した固有のシグナリングのような、よりロバストな通信に基づいてもよい。例えば、第１の無線リンク１２１は、それが作動しておりＲＬＰに関連付けられていないときは、通常は、例えば上記第１の代替的／追加的な無線カバレッジエリア１１７に該当するより狭いビームを使用して動作し及び／又はより狭いビームに関連付けられ得る。これに対し、ＲＬＰが存在しそのためフォールバック手続が受け継ぎ得る場合、サービングネットワークノード１１０とワイヤレスデバイスとの間の通信は代わりに、例えば第１の無線カバレッジエリア１１２に該当するより広いビームを使用して達成されてもよい。別の例として、通常の（例えば高ビットレートの）データトラフィックが高いアンテナ利得及び狭いビームを使用して発生するケースでは、典型的にはより低いデータレート、より低いアンテナ利得、及びより広いビーム幅の、他のよりロバストなビームを使用する、予め構成されるフォールバック手続が定義されてもよい。
【０１２４】
第１の識別子及び第２の識別子といった、ワイヤレスデバイス１１５又はネットワークノード１１０、１１０ａ〜ｂのうちのいずれか１つに関連付けられるものである上述の識別子及びタグのうちの１つ以上は、いくつかの具体的且つさらなる例を挙げるだけでも、以下のうちのいずれかに基づき又は相当し得る：
例えばワイヤレスデバイス１１５又はネットワークノード１１０、１１０ａ〜ｂのうちのいずれか１つに関連付けられる、同期信号、
ＣＲＮＴＩ（Cell  Radio  Network  Temporary  Identifier）、
ＣＲＮＴＩの小部分（sub-part）、
ＣＲＮＴＩの拡張、
グローバルで一意な識別子、
例えばメッセージ内のビットフィールドとしてシグナリングされる、新たなタイプの識別子、
例えばユーザアイデンティティの、ハッシュコード、
例えばサービングネットワークノード１１０に関するワイヤレスデバイス１１５の最新のコンテキストの、ハッシュコード。
【０１２５】
既に示したように、少なくともワイヤレスデバイス１１５及び／又はサービングネットワークノード１１０の周囲のネットワークノードにとって、（例えば、予め決定され及び／又は予め定義され得る所定のローカルエリア内で、）識別子は好ましくは局所的に一意であるべきである。
【０１２６】
さらに、識別子は、特に上述のように承認のために使用される第１の識別子は、暗号化され及び／又は秘匿されてもよく、他方、例えばワイヤレスデバイスを識別する第２の識別子は、オープンであり及び／又は公開されてもよい。
【０１２７】
ここで説明した実施形態は、背景技術において述べたような、例えば５Ｇワイヤレス通信ネットワークについて説明したようなワイヤレス通信ネットワークに具体的に関心を有し得る。しかしながら、ここでの実施形態は、当然ながら、ＵＭＴＳ及びＬＴＥといったより旧来型の通信ネットワーク及びシステムの、さらなる発展にも適用可能であり得る。
【０１２８】
上に既に示したように、旧来の方法と比較して、ここでの実施形態は、無線リンクのより高度なロバスト性、及びＲＬＰに関するより迅速な回復の仕組みを可能とする。ＲＬＰ、及び例えばそれに関連する問題、例えば狭いビームにおいてサービスされているワイヤレスデバイスを“喪失する（loosing）”といった問題は、ここでの実施形態のおかげで、より速くより効率的に扱われ及び解消されることができる。さらに、ここでの実施形態は、他のケースにおけるよりもより積極的なビーム形成の使用を容易にする。というのも、ＲＬＰがより良好に対処されることが可能とされるからである。より積極的なビーム形成は、例えば、より狭いビームの使用を伴い、これは、より少ない干渉、より高い効率、より低いエネルギー消費、等に帰着し得る。
【０１２９】
図６は、ワイヤレス通信ネットワーク（例えば、ワイヤレス通信ネットワーク１００）により実行される、ワイヤレス通信ネットワーク１００に含まれるワイヤレスデバイス（例えば、ワイヤレスデバイス１１５）とサービングネットワークノード（例えば、サービングネットワークノード１１０）との間の第１の無線リンク（例えば、第１の無線リンク１２１）に伴う問題を管理するための方法、の実施形態を概略的に示すフローチャートである。ワイヤレス通信ネットワーク１００が上記方法を実行する場合、上記方法を実行しているのは実際には当該ネットワークの１つ以上のネットワークノードであること、即ち、上記方法は分散されたノードにより実行されてもよいこと、が理解される。例えば、いくつかの実施形態では、上記方法は、サービングネットワークノード１１０により若しくはサービングネットワークノード１１０を介して実行され、又は、上記１つ以上のネットワークノードは、サービングネットワークノード１１０を少なくとも含む。いくつかの実施形態では、上記方法は、少なくとも下記のアクション６０１〜６０２のうちの一方又は双方は、管理用ノード１３０により、例えば無線ネットワークノード及び／又は基地局といった１つ以上のさらなるネットワークノード（例えば、サービングネットワークノード１１０）を介して、実行される。
【０１３０】
方法は以下のアクションを含み、それらアクションは、任意の好適な順序で行われ、及び／又は、時間的重複が可能であり、好適な場合には全体として又は部分的に時間的に重複して遂行されてもよい。
【０１３１】
アクション６０１
ワイヤレス通信ネットワーク１００は、ワイヤレスデバイス１１５へ第１の情報を送信する。第１の情報は、第１の識別子（例えば、ｔａｇ＿ｓ）を含み、及び、第１の識別子が候補ネットワークノード（例えば、サービングネットワークノード１１０及び非サービングネットワークノード１１１ａ〜ｂのうちのいずれか１つ）から受信された場合にはそれはワイヤレスデバイス１１５と上記候補ノードとの間で問題の無いワーキング無線リンクをセットアップすることをサービングネットワークノード１１０が承認したことを意味すること、をワイヤレスデバイス１１５へ通知する。ワーキング無線リンクは、例えば、第１の無線リンク１２１の修復バージョンであるか、又は、第２及び第３の無線リンク１２２ａ〜ｂのうちのいずれか１つであり得る。
【０１３２】
第１の情報は、第１の識別子が上記候補ネットワークノードから受信された場合にはそれは第１の無線リンク１２１のコンテキストが依然として有効でありよって上記ワーキング無線リンクのために使用を継続できることを意味すること、をさらにワイヤレスデバイス１１５へ通知し得る。
【０１３３】
そのうえ、第１の情報は、他の第２の識別子（例えば、ｔａｇ＿ｐ）をさらに含み、及び、第１の無線リンク１２１に伴う問題が検出されたことに応じて１つ以上の候補ネットワークノード（例えば、サービングネットワークノード１１０及び非サービングネットワークノード１１１ａ〜ｂのうちのいずれか１つ以上）による受信のために第２の識別子を含むメッセージを送信することをワイヤレスデバイス１１５へ指示してもよい。上記メッセージは、ワイヤレスデバイス１１５についての問題の無いワーキング無線リンク（例えば、第１の無線リンク１２１の修復バージョン又は第２及び第３の無線リンク１２２ａ〜ｂのいずれか１つ）のセットアップへの参加に関連する。上記１つ以上の候補ネットワークノードは、上記ワーキング無線リンクに関与するための候補であるネットワークノードである。
【０１３４】
このアクションは、全体として又は部分的に上述のアクション２０１ａ、３０１、４０１ａ、５０１のうちの１つ以上に相当し得る。
【０１３５】
アクション６０２
ワイヤレス通信ネットワーク１００は、ワイヤレス通信ネットワーク１００に含まれる１つ以上の非サービングネットワークノード（例えば、非サービングネットワークノード１１１ａ〜ｂの一方又は双方）へ、第２の情報を送信し得る。第２の情報は、第２の識別子を含み、及び、第１の無線リンク１２１に伴う問題が検出されるケースではワイヤレスデバイス１１５についての問題の無い新たなワーキング無線リンクのセットアップへの参加を求めるリクエストに関連付けて第２の識別子が受信され得ること、を上記１つ以上の非サービングノードへ通知する。
【０１３６】
このアクションは、全体として又は部分的に上述のアクション２０１ｂ、４０１ｂのうちの１つ以上に相当し得る。
【０１３７】
アクション６０３
ワイヤレス通信ネットワーク１００は、第１の無線リンク１２１に伴う問題をワイヤレスデバイス１１５が検出したことに応じて、ワイヤレスデバイス１１５から、第２の識別子を含む無線リンク訂正リクエストメッセージを受信し得る。無線リンク訂正リクエストメッセージは、第１の無線リンク１２１を問題の無いワーキング無線リンク１２１にするために当該リンクの修復に参加することをサービングネットワークノード１１０に求める。
【０１３８】
このアクションは、全体として又は部分的に上述のアクション３０４に相当し得る。
【０１３９】
アクション６０４
ワイヤレス通信ネットワーク１００は、受信した無線リンク訂正リクエストメッセージに応じて、無線リンク訂正レスポンスメッセージをワイヤレスデバイス１１５へ送信し得る。無線リンク訂正レスポンスメッセージは、第１の識別子を含む。
【０１４０】
このアクションは、全体として又は部分的に上述のアクション３０５に相当し得る。
【０１４１】
アクション６０３における無線リンク訂正リクエストメッセージ及び／又は本アクションにおける無線リンク訂正レスポンスメッセージは、第１の無線リンク１２１に伴う検出された問題に関わらずサービングネットワークノード１１０及び／又はワイヤレスデバイス１１５へ到達するために特に適合される無線シグナリングを使用して送信されてもよい。
【０１４２】
アクション６０５
ワイヤレス通信ネットワーク１００は、第１の無線リンク１２１に伴う問題を検出し得る。
【０１４３】
このアクションは、全体として又は部分的に上述のアクション５０２に相当し得る。
【０１４４】
アクション６０６
ワイヤレス通信ネットワーク１００は、検出に応じて、ワイヤレスデバイス１１５へ、第１の識別子を含む無線リンク修復リクエストメッセージを送信し得る。無線リンク修復リクエストメッセージは、第１の無線リンク１２１を問題の無いワーキング無線リンク１２１にするために当該リンクの修復に参加することをワイヤレスデバイス１１５に求める。
【０１４５】
無線リンク修復リクエストメッセージは、第１の無線リンク１２１に伴う検出された問題に関わらずワイヤレスデバイス１１５へ到達するために特に適合される無線シグナリングを使用して送信されてもよい。
【０１４６】
このアクションは、全体として又は部分的に上述のアクション５０５に相当し得る。
【０１４７】
アクション６０７
ワイヤレス通信ネットワーク１００は、検出に応じて、１つ以上の非サービングネットワークノード（例えば、第１及び第２の非サービングネットワークノード１１１ａ〜ｂ）へ、無線リンク問題支援リクエストメッセージを送信し得る。無線リンク問題支援リクエストメッセージは、第２の識別子を含み、及び、ワイヤレスデバイス１１５についての問題の無い上記新たなワーキング無線リンクのセットアップへの参加を求める。
【０１４８】
このアクションは、全体として又は部分的に上述のアクション４０５に相当し得る。
【０１４９】
アクション６０８
ワイヤレス通信ネットワーク１００は、上記１つ以上の非サービングネットワークノードのうちの非サービングネットワークノード（例えば、第１の非サービングネットワークノード１１１ａ）から、無線リンク情報リクエストメッセージを受信し得る。無線リンク情報リクエストメッセージは、第１の無線リンク１２１のコンテキストについての情報を求める。そのコンテキストは、上記非サービング無線ネットワークノードとワイヤレスデバイス１１５との間の新たなワーキング無線リンク（例えば、第２及び第３の無線リンク１２２ａ〜ｂのいずれか１つ）のために継続して使用されることができる。
【０１５０】
このアクションは、全体として又は部分的に上述のアクション２０５、４０９のうちの１つ以上に相当し得る。
【０１５１】
アクション６０９
ワイヤレス通信ネットワーク１００は、受信した無線リンク情報リクエストメッセージに応じて、上記第１の識別子及び上記コンテキストについての情報を含む無線リンク情報レスポンスメッセージを、上記非サービングネットワークノード１１１ａへ送信し得る。
【０１５２】
このアクションは、全体として又は部分的に上述のアクション２０６、４１０のうちの１つ以上に相当し得る。
【０１５３】
図７は、ワイヤレスデバイス１１５とサービングネットワークノード１１０との間の第１の無線リンク１２１に伴う問題を管理するための、ネットワークノード（例えば、サービングネットワークノード１１０又は管理用ネットワークノード１３０）の実施形態を示すための概略ブロック図である。この図は、特に、図６に関連して上に説明した方法及びアクションを実行するためにネットワークノードがどのように構成され得るかを示すためのものである。以下において、サービングネットワークノードがネットワークノードを例示するために使用されるが、他のネットワークノード（例えば、管理用ネットワークノード１３０）もまた、上記方法を、少なくとも上のアクション６０１〜６０２に対応するアクションを実行するように構成されてもよい。
【０１５４】
サービングネットワークノード１１０は、上記方法及び／又はアクションを実行するための、手段、例えば１つ以上のプロセッサを含む１つ以上のハードウェアモジュール、及び／又は１つ以上のソフトウェアモジュール、といった、処理モジュール７０１を含み得る。
【０１５５】
サービングネットワークノード１１０は、コンピュータプログラム７０３を含み得る（例えば格納又は記憶し得る）メモリ７０２、をさらに含み得る。コンピュータプログラムは、サービングネットワークノード１１０が上記方法及び／又はアクションを実行するように、サービングネットワークノード１１０により直接的に又は間接的に実行可能な‘命令’又は‘コード’を含む。メモリ７０２は、１つ以上のメモリユニットを含んでよく、また、ここでの実施形態の機能及びアクションを実行することに関与し又はそれらを実行するための構成及び／又はアプリケーションといったデータを記憶するようにさらに構成され得る。
【０１５６】
そのうえ、サービングネットワークノード１１０は、例示的なハードウェアモジュールとしての処理回路７０４を含み、及び１つ以上のプロセッサを含み又はそれ（ら）に相当し得る。いくつかの実施形態では、処理モジュール７０１が処理回路７０４を含んでもよく、例えば処理回路７０４‘の形で具現化され’、又は処理回路７０４‘により実現’される。これらの実施形態では、メモリ７０２は処理回路７０４により実行可能なコンピュータプログラム７０３を含んでよく、それによりサービングネットワークノード１１０は、上記方法及び／又はアクションを実行するように、動作可能であり又は構成される。
【０１５７】
典型的には、サービングネットワークノード１１０（例えば、処理モジュール７０１）は、Ｉ／Ｏ（Input/Output）モジュール７０５を含み、これは、他の外部ノード若しくはデバイスへ情報を送信し及び／又はそれらから情報を受信するといった、他のユニット及び／若しくはノードへの並びに／又はそれらからのあらゆる通信を例えば実行することにより、それらの通信に関与する、ように構成される。Ｉ／Ｏモジュール７０５は、適用可能な場合、取得用（例えば、受信）モジュール及び／又は提供用（例えば、送信）モジュールとして例示されてもよい。
【０１５８】
さらなる実施形態では、サービングネットワークノード１１０（例えば、処理モジュール７０１）は、例示的なハードウェア及び／又はソフトウェアモジュールとして、送信モジュール７０６、受信モジュール７０７、及び検出モジュール７０８のうちの１つ以上を含み得る。いくつかの実施形態では、送信モジュール７０６、受信モジュール７０７、及び／又は検出モジュール７０８は、全体として又は部分的に処理回路７０４により実装されてもよい。
【０１５９】
したがって、上述した様々な実施形態によれば、サービングネットワークノード１１０、及び／又は処理モジュール７０１及び／又は処理回路７０４及び／又は送信モジュール７０６及び／又はＩ／Ｏモジュール７０５は、ワイヤレスデバイス１１５へ上記第１の情報を送信するように、動作可能であり又は構成される。
【０１６０】
そのうえ、サービングネットワークノード１１０、及び／又は処理モジュール７０１及び／又は処理回路７０４及び／又は送信モジュール７０６及び／又はＩ／Ｏモジュール７０５は、ワイヤレス通信ネットワーク１００に含まれる上記１つ以上の非サービングネットワークノード（例えば、第１及び第２の非サービングネットワークノード１１１ａ〜ｂ）へ上記第２の情報を送信するように、動作可能であり又は構成されてもよい。
【０１６１】
さらに、サービングネットワークノード１１０、及び／又は処理モジュール７０１及び／又は処理回路７０４及び／又は受信モジュール７０７及び／又はＩ／Ｏモジュール７０５は、第１の無線リンク１２１に伴う問題をワイヤレスデバイス１１５が検出したことに応じて、ワイヤレスデバイス１１５から、第２の識別子を含む上記無線リンク訂正リクエストメッセージを受信するように、動作可能であり又は構成されてもよい。サービングネットワークノード１１０、及び／又は処理モジュール７０１及び／又は処理回路７０４及び／又は受信モジュール７０７及び／又はＩ／Ｏモジュール７０５は、第１の無線リンク１２１に伴う検出された問題に関わらずサービングネットワークノード１１０へ到達するために特に適合される無線シグナリングを使用して無線リンク訂正リクエストメッセージが送信された場合にそのメッセージを受信するように、さらに動作可能であり又は構成されてもよい。
【０１６２】
サービングネットワークノード１１０、及び／又は処理モジュール７０１及び／又は処理回路７０４及び／又は送信モジュール７０６及び／又はＩ／Ｏモジュール７０５は、受信した無線リンク訂正リクエストメッセージに応じて、ワイヤレスデバイス１１５へ上記無線リンク訂正レスポンスメッセージを送信するように、さらに動作可能であり又は構成されてもよい。サービングネットワークノード１１０、及び／又は処理モジュール７０１及び／又は処理回路７０４及び／又は送信モジュール７０６及び／又はＩ／Ｏモジュール７０５は、第１の無線リンク１２１に伴う検出された問題に関わらずワイヤレスデバイス１１５へ到達するために特に適合される無線シグナリングを使用して無線リンク訂正レスポンスメッセージを送信するように、動作可能であり又は構成されてもよい。
【０１６３】
さらに、サービングネットワークノード１１０、及び／又は処理モジュール７０１及び／又は処理回路７０４及び／又は検出モジュール７０８は、第１の無線リンク１２１に伴う問題を検出するように、動作可能であり又は構成されてもよい。サービングネットワークノード１１０、及び／又は処理モジュール７０１及び／又は処理回路７０４及び／又は送信モジュール７０６及び／又はＩ／Ｏモジュール７０５は、その検出に応じて、ワイヤレスデバイス１１５へ、第１の識別子を含む上記無線リンク修復リクエストメッセージを送信するように、さらに動作可能であり又は構成されてもよい。そのうえ、サービングネットワークノード１１０、及び／又は処理モジュール７０１及び／又は処理回路７０４及び／又は送信モジュール７０６及び／又はＩ／Ｏモジュール７０５は、第１の無線リンク１２１に伴う検出された問題に関わらずワイヤレスデバイス１１５へ到達するために特に適合される無線シグナリングを使用して無線リンク修復リクエストメッセージを送信するように、さらに動作可能であり又は構成されてもよい。
【０１６４】
追加的に、サービングネットワークノード１１０、及び／又は処理モジュール７０１及び／又は処理回路７０４及び／又は送信モジュール７０６及び／又はＩ／Ｏモジュール７０５は、検出に応じて、上記１つ以上の非サービングネットワークノード（例えば、第１及び第２の非サービングネットワークノード１１１ａ〜ｂのうちの１つ以上）へ、第２の識別子を含む上記無線リンク問題支援リクエストメッセージを送信するように、動作可能であり又は構成されてもよい。
【０１６５】
そのうえ、サービングネットワークノード１１０、及び／又は処理モジュール７０１及び／又は処理回路７０４及び／又は受信モジュール７０７及び／又はＩ／Ｏモジュール７０５は、上記１つ以上の非サービングネットワークノードのうちの上記非サービングネットワークノード（例えば、第１の非サービングネットワークノード１１１ａ）から、上記無線リンク情報リクエストメッセージを受信するように、動作可能であり又は構成されてもよい。サービングネットワークノード１１０、及び／又は処理モジュール７０１及び／又は処理回路７０４及び／又は送信モジュール７０６及び／又はＩ／Ｏモジュール７０５は、受信した無線リンク情報リクエストメッセージに応じて、上記非サービングネットワークノードへ、上記第１の識別子を含む上記無線リンク情報レスポンスメッセージを送信するように、さらに動作可能であり又は構成されてもよい。
【０１６６】
図８は、ワイヤレス通信ネットワーク１００に含まれるワイヤレスデバイス（例えば、ワイヤレスデバイス１１５）とサービングネットワークノード（例えば、サービングネットワークノード１１０）との間の第１の無線リンク（例えば、第１の無線リンク１２１）に伴う問題を管理するための、ワイヤレスデバイス１１５により実行される方法の実施形態を概略的に示すフローチャートである。
【０１６７】
方法は以下のアクションを含み、それらアクションは、任意の好適な順序で行われ、及び／又は、時間的重複が可能であり、好適な場合には全体として又は部分的に時間的に重複して遂行されてもよい。
【０１６８】
アクション８０１
ワイヤレスデバイス１１５は、ワイヤレス通信ネットワーク１００から、第１の情報を受信する。第１の情報は、第１の識別子（例えば、ｔａｇ＿ｓ）を含み、及び、その第１の識別子が候補ネットワークノード（例えば、サービングネットワークノード１１０並びに第１及び第２の非サービングネットワークノード１１１ａ〜ｂのうちのいずれか１つ）から受信された場合にはそれはワイヤレスデバイス１１５と上記候補ノードとの間で問題の無いワーキング無線リンクをセットアップすることをサービングネットワークノード１１０が承認したことを意味すること、をワイヤレスデバイス１１５へ通知する。ワーキング無線リンクは、例えば、第１の無線リンク１２１の修復バージョンであるか、又は、第２及び第３の無線リンク１２２ａ〜ｂのうちのいずれか１つであり得る。
【０１６９】
第１の情報は、第１の識別子が上記候補ネットワークノードから受信された場合にはそれは第１の無線リンク１２１のコンテキストが依然として有効でありよって上記ワーキング無線リンクのために使用を継続できることを意味すること、をさらにワイヤレスデバイス１１５へ通知してもよい。
【０１７０】
そのうえ、第１の情報は、他の第２の識別子（例えば、ｔａｇ＿ｐ）をさらに含み、及び、第１の無線リンク１２１に伴う問題が検出されたことに応じて１つ以上の候補ネットワークノード（例えば、サービングネットワークノード１１０並びに第１及び第２の非サービングネットワークノード１１１ａ〜ｂのうちの１つ以上）による受信のために第２の識別子を含むメッセージを送信することをワイヤレスデバイス１１５へ指示し得る。上記メッセージは、ワイヤレスデバイス１１５についての問題の無いワーキング無線リンク（例えば、第１の無線リンク１２１の修復バージョン、又は第２及び第３の無線リンク１２２ａ〜ｂのうちのいずれか１つ）のセットアップへの参加に関連する。上記１つ以上の候補ノードは、上記ワーキング無線リンクに関与するための候補であるネットワークノードである。
【０１７１】
このアクションは、全体として又は部分的に上述のアクション２０１ａ、３０１、４０１ａ、５０１のうちの１つ以上に相当し得る。
【０１７２】
アクション８０２
ワイヤレスデバイス１１５は、第１の無線リンク１２１に伴う問題を検出し得る。このアクションは、全体として又は部分的に上述のアクション３０２に相当し得る。
【０１７３】
アクション８０３
ワイヤレスデバイス１１５は、その検出に応じて、サービングネットワークノード１１０へ、第２の識別子を含む無線リンク訂正リクエストメッセージを送信し得る。無線リンク訂正リクエストメッセージは、第１の無線リンク１２１を問題の無いワーキング無線リンクにするために当該リンクの修復に参加することをサービングネットワークノード１１０に求める。
【０１７４】
このアクションは、全体として又は部分的に上述のアクション３０４に相当し得る。
【０１７５】
アクション８０４
ワイヤレスデバイス１１５は、送信した無線リンク訂正リクエストメッセージに応じて、サービングネットワークノード１１０から、無線リンク訂正レスポンスメッセージを受信し得る。当該無線リンク訂正レスポンスメッセージは、第１の識別子を含む。
【０１７６】
このアクションは、全体として又は部分的に上述のアクション３０５に相当し得る。
【０１７７】
アクション８０３における無線リンク訂正リクエストメッセージ及び／又は本アクションにおける無線リンク訂正レスポンスメッセージは、第１の無線リンク１２１に伴う検出された問題に関わらずサービングネットワークノード１１０及び／又はワイヤレスデバイス１１５へ到達するために特に適合される無線シグナリングを使用して送信されてもよい。
【０１７８】
アクション８０５
ワイヤレスデバイス１１５は、第１の無線リンク１２１に伴う問題をワイヤレスデバイス１１５が検出したことに応じて、ワイヤレス通信ネットワーク１００に含まれる１つ以上の非サービングネットワークノード（例えば、第１及び第２のネットワークノード１１１ａ〜ｂのうちの１つ以上）へ、無線リンク問題検出メッセージを送信し得る。無線リンク問題検出メッセージは、第２の識別子を含み、及び、ワイヤレスデバイス１１５についての問題の無い新たなワーキング無線リンクのセットアップに参加することを上記１つ以上の非サービングネットワークノードに求める。
【０１７９】
このアクションは、全体として又は部分的に上述のアクション２０４に相当し得る。
【０１８０】
アクション８０６
ワイヤレスデバイス１１５は、１つ以上の非サービングネットワークノード（例えば、第１及び第２の非サービングネットワークノード１１１ａ〜ｂのうちの１つ以上）から、無線リンク再確立リクエストメッセージを受信し得る。当該無線リンク再確立リクエストメッセージは、第１の識別子を含む。このアクションは、全体として又は部分的に上述のアクション２０７、４１１のうちの１つ以上に相当し得る。
【０１８１】
アクション８０７
ワイヤレスデバイス１１５は、第１の無線リンク１２１に伴う問題のサービング無線ネットワークノード１１０による検出に応じて、サービングネットワークノード１１０から、無線リンク修復リクエストメッセージを受信し得る。無線リンク修復リクエストメッセージは、第１の識別子を含み、及び、第１の無線リンク１２１を問題の無いワーキング無線リンク１２１にするために当該リンクの修復に参加することをワイヤレスデバイス１１５に求める。
【０１８２】
このアクションは、全体として又は部分的に上述のアクション５０５に相当し得る。
【０１８３】
図９は、ワイヤレス通信ネットワーク１００に含まれるワイヤレスデバイス１１５とサービングネットワークノード１１０との間の第１の無線リンク１２１に伴う問題を管理するための、ワイヤレスデバイス１１５の実施形態を示すための概略ブロック図である。この図は、特に、図８に関連して上に説明した方法及びアクションを実行するためにワイヤレスデバイス１１５がどのように構成され得るかを示すためのものである。
【０１８４】
ワイヤレスデバイス１１５は、上記方法及び／又はアクションを実行するための、手段、例えば１つ以上のプロセッサを含む１つ以上のハードウェアモジュール、及び／又は１つ以上のソフトウェアモジュール、といった、処理モジュール９０１を含み得る。
【０１８５】
ワイヤレスデバイス１１５は、コンピュータプログラム９０３を含み得る（例えば格納又は記憶し得る）メモリ９０２、をさらに含み得る。コンピュータプログラムは、ワイヤレスデバイス１１５が上記方法及び／又はアクションを実行するように、ワイヤレスデバイス１１５により直接的に又は間接的に実行可能な‘命令’又は‘コード’を含む。メモリ９０２は、１つ以上のメモリユニットを含んでよく、また、ここでの実施形態の機能及びアクションを実行することに関与し又はそれらを実行するための構成及び／又はアプリケーションといったデータを記憶するようにさらに構成され得る。
【０１８６】
そのうえ、ワイヤレスデバイス１１５は、例示的なハードウェアモジュールとしての処理回路９０４を含み、及び１つ以上のプロセッサを含み又はそれ（ら）に相当し得る。いくつかの実施形態では、処理モジュール９０１が処理回路９０４を含んでもよく、例えば処理回路９０４‘の形で具現化され’、又は処理回路９０４‘により実現’される。これらの実施形態では、メモリ９０２は処理回路９０４により実行可能なコンピュータプログラム９０３を含んでよく、それによりワイヤレスデバイス１１５は、上記方法及び／又はアクションを実行するように、動作可能であり又は構成される。
【０１８７】
典型的には、ワイヤレスデバイス１１５（例えば、処理モジュール９０１）は、Ｉ／Ｏ（Input/Output）モジュール９０５を含み、これは、他の外部ノード若しくはデバイスへ情報を送信し及び／又はそれらから情報を受信するといった、他のユニット及び／若しくはノードへの並びに／又はそれらからのあらゆる通信を例えば実行することにより、それらの通信に関与する、ように構成される。Ｉ／Ｏモジュール９０５は、適用可能な場合、取得用（例えば、受信）モジュール及び／又は提供用（例えば、送信）モジュールとして例示されてもよい。
【０１８８】
さらなる実施形態では、ワイヤレスデバイス１１５（例えば、処理モジュール９０１）は、例示的なハードウェア及び／又はソフトウェアモジュールとして、受信モジュール９０６、送信モジュール９０７、及び検出モジュール９０８のうちの１つ以上を含み得る。いくつかの実施形態では、受信モジュール９０６、送信モジュール９０７、及び／又は検出モジュール９０８は、全体として又は部分的に処理回路９０４により実装されてもよい。
【０１８９】
したがって、上述した様々な実施形態によれば、ワイヤレスデバイス１１５、及び／又は処理モジュール９０１及び／又は処理回路９０４及び／又は受信モジュール９０６及び／又はＩ／Ｏモジュール９０５は、ワイヤレス通信ネットワーク１００から、上記第１の情報を受信するように、動作可能であり又は構成される。
【０１９０】
さらに、ワイヤレスデバイス１１５、及び／又は処理モジュール９０１及び／又は処理回路９０４及び／又は検出モジュール９０８は、第１の無線リンク１２１に伴う問題を検出するように、動作可能であり又は構成されてもよい。
【０１９１】
ワイヤレスデバイス１１５、及び／又は処理モジュール９０１及び／又は処理回路９０４及び／又は送信モジュール９０７及び／又はＩ／Ｏモジュール９０５は、その検出に応じて、サービングネットワークノード１１０へ上記無線リンク訂正リクエストメッセージを送信するように、動作可能であり又は構成されてもよい。ワイヤレスデバイス１１５、及び／又は処理モジュール９０１及び／又は処理回路９０４及び／又は送信モジュール９０７及び／又はＩ／Ｏモジュール９０５は、第１の無線リンク１２１に伴う検出された問題に関わらずサービングネットワークノード１１０へ到達するために特に適合される無線シグナリングを使用して無線リンク訂正リクエストメッセージを送信するように、さらに動作可能であり又は構成されてもよい。
【０１９２】
ワイヤレスデバイス１１５、及び／又は処理モジュール９０１及び／又は処理回路９０４及び／又は受信モジュール９０６及び／又はＩ／Ｏモジュール９０５は、送信した無線リンク訂正リクエストメッセージに応じて、サービングネットワークノード１１０から上記無線リンク訂正レスポンスメッセージを受信するように、さらに動作可能であり又は構成されてもよい。そのうえ、ワイヤレスデバイス１１５、及び／又は処理モジュール９０１及び／又は処理回路９０４及び／又は受信モジュール９０６及び／又はＩ／Ｏモジュール９０５は、第１の無線リンク１２１に伴う検出された問題に関わらずワイヤレスデバイス１１５へ到達するために特に適合される無線シグナリングを使用して無線リンク訂正レスポンスメッセージが送信された場合に当該メッセージを受信するように、さらに動作可能であり又は構成されてもよい。
【０１９３】
さらに、ワイヤレスデバイス１１５、及び／又は処理モジュール９０１及び／又は処理回路９０４及び／又は送信モジュール９０７及び／又はＩ／Ｏモジュール９０５は、第１の無線リンク１２１に伴う問題をワイヤレスデバイス１１５が検出したことに応じて、ワイヤレス通信ネットワーク１００に含まれる上記１つ以上の非サービングネットワークノードへ、上記無線リンク問題検出メッセージを送信するように、動作可能であり又は構成されてもよい。
【０１９４】
ワイヤレスデバイス１１５、及び／又は処理モジュール９０１及び／又は処理回路９０４及び／又は受信モジュール９０６及び／又はＩ／Ｏモジュール９０５は、上記１つ以上の非サービングネットワークノードから上記無線リンク再確立リクエストメッセージを受信するように、さらに動作可能であり又は構成されてもよい。追加的に、ワイヤレスデバイス１１５、及び／又は処理モジュール９０１及び／又は処理回路９０４及び／又は受信モジュール９０６及び／又はＩ／Ｏモジュール９０５は、第１の無線リンク１２１に伴う問題のサービング無線ネットワークノード１１０による検出に応じて、サービングネットワークノード１１０から上記無線リンク修復リクエストメッセージを受信するように、さらに動作可能であり又は構成されてもよい。ワイヤレスデバイス１１５、及び／又は処理モジュール９０１及び／又は処理回路９０４及び／又は受信モジュール９０６及び／又はＩ／Ｏモジュール９０５は、第１の無線リンク１２１に伴う検出された問題に関わらずワイヤレスデバイス１１５へ到達するために特に適合される無線シグナリングを使用して無線リンク修復リクエストメッセージが送信された場合に当該メッセージを受信するように、追加的に動作可能であり又は構成されてもよい。
【０１９５】
図１０は、ワイヤレスデバイス１１５とサービングネットワークノード（例えば、サービングネットワークノード１１０）との間の第１の無線リンク（例えば、第１の無線リンク１２１）に伴う問題を管理するための、非サービングネットワークノード（例えば、第１の非サービングネットワークノード１１１ａ）により実行される方法の実施形態を概略的に示すフローチャートである。サービングネットワークノード及び非サービングネットワークノードは、ワイヤレス通信ネットワーク１００に含まれる。
【０１９６】
方法は以下のアクションを含み、それらアクションは、任意の好適な順序で行われ、及び／又は、時間的重複が可能であり、好適な場合には全体として又は部分的に時間的に重複して遂行されてもよい。
【０１９７】
アクション１００１
第１の非サービングネットワークノード１１１ａは、サービングネットワークノード１１０から第２の情報を受信する。第２の情報は、第２の識別子（例えば、ｔａｇ＿ｐ）を含み、及び、第１の無線リンク１２１に伴う問題が検出されるケースにおいて、ワイヤレスデバイス１１５についての問題の無い新たなワーキング無線リンク（例えば、第２の無線リンク１２２ａ）のセットアップへの参加を求めるリクエストに関連付けて第２の識別子が受信され得ること、を第１の非サービングノード１１１ａへ通知する。
【０１９８】
このアクションは、全体として又は部分的に上述のアクション２０１ｂ、４０１ｂのうちの１つ以上に相当し得る。
【０１９９】
アクション１００２
第１の非サービングネットワークノード１１１ａは、第１の無線リンク１２１に伴う問題をサービングネットワークノード１１０が検出したことに応じて、サービングネットワークノード１１０から、無線リンク問題支援リクエストメッセージを受信してもよい。無線リンク問題支援リクエストメッセージは、第２の識別子を含み、及び、ワイヤレスデバイス１１５についての問題の無い上記新たなワーキング無線リンクのセットアップへの参加を求める。
【０２００】
このアクションは、全体として又は部分的に上述のアクション４０５に相当し得る。
【０２０１】
アクション１００３
第１の非サービングネットワークノード１１１ａは、第１の無線リンク１２１に伴う問題をワイヤレスデバイス１１５が検出したことに応じて、ワイヤレスデバイス１１５から、無線リンク問題検出メッセージをさらに受信してもよい。無線リンク問題検出メッセージは、第２の識別子を含み、及び、ワイヤレスデバイス１１５についての問題の無い上記新たなワーキング無線リンクのセットアップへの参加を求める。
【０２０２】
このアクションは、全体として又は部分的に上述のアクション２０３に相当し得る。
【０２０３】
アクション１００４
第１の非サービングネットワークノード１１１ａは、受信した無線リンク問題支援リクエストメッセージ又は無線リンク問題検出メッセージに応じて、サービングネットワークノード１１０へ、無線リンク情報リクエストメッセージを送信し得る。無線リンク情報リクエストメッセージは、第１の無線リンク１２１のコンテキストについての情報を求める。そのコンテキストは、第１の非サービング無線ネットワークノード１１１ａとワイヤレスデバイス１１５との間の上記新たなワーキング無線リンクについて継続して使用されることができる。
【０２０４】
このアクションは、全体として又は部分的に上述のアクション２０５、４０９のうちの１つ以上に相当し得る。
【０２０５】
アクション１００５
第１の非サービングネットワークノード１１１ａは、送信した無線リンク情報リクエストメッセージに応じて、サービングネットワークノード１１０から、上記第１の識別子及び上記コンテキストについての情報を含む無線リンク情報レスポンスメッセージを受信し得る。
【０２０６】
このアクションは、全体として又は部分的に上述のアクション２０６、４１０のうちの１つ以上に相当し得る。
【０２０７】
アクション１００６
第１の非サービングネットワークノード１１１ａは、ワイヤレスデバイス１１５へ、無線リンク再確立リクエストメッセージを送信し得る。当該無線リンク再確立リクエストメッセージは、第１の識別子を含む。
【０２０８】
このアクションは、全体として又は部分的に上述のアクション２０７、４１１のうちの１つ以上に相当し得る。
【０２０９】
図１１は、ワイヤレス通信ネットワーク１００に含まれるワイヤレスデバイス１１５とサービングネットワークノード１１０との間の第１の無線リンク１２１に伴う問題を管理するための、非サービングネットワークノード（図中及び以下では、第１の非サービングネットワークノード１１１ａにより表される）の実施形態を示すための概略ブロック図である。この図は、特に、図１０に関連して上に説明した方法及びアクションを実行するために第１の非サービングネットワークノード１１１ａがどのように構成され得るかを示すためのものである。
【０２１０】
第１の非サービングネットワークノード１１１ａは、上記方法及び／又はアクションを実行するための、手段、例えば１つ以上のプロセッサを含む１つ以上のハードウェアモジュール、及び／又は１つ以上のソフトウェアモジュール、といった、処理モジュール１１０１を含み得る。
【０２１１】
第１の非サービングネットワークノード１１１ａは、コンピュータプログラム１１０３を含み得る（例えば格納又は記憶し得る）メモリ１１０２、をさらに含み得る。コンピュータプログラムは、第１の非サービングネットワークノード１１１ａが上記方法及び／又はアクションを実行するように、第１の非サービングネットワークノード１１１ａにより直接的に又は間接的に実行可能な‘命令’又は‘コード’を含む。メモリ１１０２は、１つ以上のメモリユニットを含んでよく、また、ここでの実施形態の機能及びアクションを実行することに関与し又はそれらを実行するための構成及び／又はアプリケーションといったデータを記憶するようにさらに構成され得る。
【０２１２】
そのうえ、第１の非サービングネットワークノード１１１ａは、例示的なハードウェアモジュールとしての処理回路１１０４を含み、及び１つ以上のプロセッサを含み又はそれ（ら）に相当し得る。いくつかの実施形態では、処理モジュール１１０１が処理回路１１０４を含んでもよく、例えば処理回路１１０４‘の形で具現化され’、又は処理回路１１０４‘により実現’される。これらの実施形態では、メモリ１１０２は処理回路１１０４により実行可能なコンピュータプログラム１１０３を含んでよく、それにより第１の非サービングネットワークノード１１１ａは、上記方法及び／又はアクションを実行するように、動作可能であり又は構成される。
【０２１３】
典型的には、第１の非サービングネットワークノード１１１ａ（例えば、処理モジュール１１０１）は、Ｉ／Ｏ（Input/Output）モジュール１１０５を含み、これは、他の外部ノード若しくはデバイスへ情報を送信し及び／又はそれらから情報を受信するといった、他のユニット及び／若しくはノードへの並びに／又はそれらからのあらゆる通信を例えば実行することにより、それらの通信に関与する、ように構成される。Ｉ／Ｏモジュール１１０５は、適用可能な場合、取得用（例えば、受信）モジュール及び／又は提供用（例えば、送信）モジュールとして例示されてもよい。
【０２１４】
さらなる実施形態では、第１の非サービングネットワークノード１１１ａ（例えば、処理モジュール１１０１）は、例示的なハードウェア及び／又はソフトウェアモジュールとして、受信モジュール１１０６及び送信モジュール１１０７のうちの１つ以上を含み得る。いくつかの実施形態では、受信モジュール１１０６及び／又は送信モジュール１１０７は、全体として又は部分的に処理回路１１０４により実装されてもよい。
【０２１５】
したがって、上述した様々な実施形態によれば、第１の非サービングネットワークノード１１１ａ、及び／又は処理モジュール１１０１及び／又は処理回路１１０４及び／又は受信モジュール１１０６及び／又はＩ／Ｏモジュール１１０５は、サービングネットワークノード１１０から上記第２の情報を受信するように、動作可能であり又は構成される。そのうえ、第１の非サービングネットワークノード１１１ａ、及び／又は処理モジュール１１０１及び／又は処理回路１１０４及び／又は受信モジュール１１０６及び／又はＩ／Ｏモジュール１１０５は、第１の無線リンク１２１に伴う問題をサービングネットワークノード１１０が検出したことに応じて、サービングネットワークノード１１０から上記無線リンク問題支援リクエストメッセージを受信するように、さらに動作可能であり又は構成されてもよい。さらに、第１の非サービングネットワークノード１１１ａ、及び／又は処理モジュール１１０１及び／又は処理回路１１０４及び／又は受信モジュール１１０６及び／又はＩ／Ｏモジュール１１０５は、第１の無線リンク１２１に伴う問題をワイヤレスデバイス１１５が検出したことに応じて、ワイヤレスデバイス１１５から上記無線リンク問題検出メッセージを受信するように、さらに動作可能であり又は構成されてもよい。
【０２１６】
さらに、第１の非サービングネットワークノード１１１ａ、及び／又は処理モジュール１１０１及び／又は処理回路１１０４及び／又は送信モジュール１１０７及び／又はＩ／Ｏモジュール１１０５は、受信した無線リンク問題支援リクエストメッセージ又は無線リンク問題検出メッセージに応じて、サービングネットワークノード１１０へ上記無線リンク情報リクエストメッセージを送信するように、動作可能であり又は構成される。
【０２１７】
第１の非サービングネットワークノード１１１ａ、及び／又は処理モジュール１１０１及び／又は処理回路１１０４及び／又は受信モジュール１１０６及び／又はＩ／Ｏモジュール１１０５は、送信した無線リンク情報リクエストメッセージに応じて、サービングネットワークノード１１０から上記無線リンク情報レスポンスメッセージを受信するように、さらに動作可能であり又は構成されてもよい。
【０２１８】
そのうえ、第１の非サービングネットワークノード１１１ａ、及び／又は処理モジュール１１０１及び／又は処理回路１１０４及び／又は送信モジュール１１０７及び／又はＩ／Ｏモジュール１１０５は、ワイヤレスデバイス１１５へ上記無線リンク再確立リクエストメッセージを送信するように、動作可能であり又は構成される。
【０２１９】
図１２ａ〜図１２ｃは、コンピュータプログラムに関連する実施形態を示す概略図である。コンピュータプログラムは、コンピュータプログラム７０３、９０３、１１０３のうちのいずれか１つであってよく、当該プログラムは、それぞれ処理回路７０４、９０４、１１０４及び／又はそれぞれ処理モジュール７０１、９０１、１１０１により実行されるとネットワークノード（例えば、サービングネットワークノード１１０）及び／又はワイヤレスデバイス１１５及び／又は第１の非サービングネットワークノード１１１ａに上述のように動作するようにさせる命令、を含む。下の例ではサービングネットワークノード１１０が言及されているが、図６〜図７に関する上の説明から理解されるであろうように、下の例においてサービングネットワークノード１１０は、原則的に、ワイヤレス通信ネットワーク１００の任意のネットワークノード（例えば管理用ネットワークノード１３０）により、置き換えられ得る。
【０２２０】
いくつかの実施形態では、コンピュータプログラム７０３、９０３、１１０３のうちのいずれか１つ又は双方を含むデータ担体（例えば、コンピュータプログラムプロダクト）が提供される。データ担体は、電子信号、光学信号、無線信号、及びコンピュータ読取可能な媒体、のうちの１つであり得る。よって、コンピュータプログラム７０３、９０３、１１０３のうちのいずれか１つ、いくつか又は全ては、コンピュータ読取可能な媒体上に記憶され得る。データ担体により一時的な（transitory）伝搬信号は除外され、そこで、データ担体は非一時的（non-transitory）データ担体と称され得る。コンピュータ読取可能な媒体であるデータ担体の非限定的な例は、メモリカード又は図１２ａにおけるようなメモリスティック１２０１、図１２ｂにおけるようなＣＤ若しくはＤＶＤといったディスク記憶媒体１２０２、図１２ｃにおけるようなマス・ストレージデバイス１２０３、である。マス・ストレージデバイス１２０３は、典型的には、ハードディスク又はＳＳＤ（Solid  State  Drive）に基づく。マス・ストレージデバイス１２０３は、コンピュータネットワーク１２０４（例えば、インターネット又はローカルエリアネットワーク（ＬＡＮ））上でアクセス可能なデータを記憶するために使用されるものであり得る。
【０２２１】
コンピュータプログラム７０３、９０３、１１０３のうちのいずれか１つ、いくつか又は全ては、さらに、純粋なコンピュータプログラムとして提供されてもよく、又は１つ若しくは複数のファイルに含まれてもよい。それらファイルは、コンピュータ読取可能な媒体上に記憶され、及び、例えばマス・ストレージデバイス１２０３からサーバを介してコンピュータネットワーク１２０４上で、例えばダウンロードを通じて入手可能であってもよい。サーバは、例えば、ウェブ又はＦＴＰ（File  Transfer  Protocol）サーバであってもよい。ファイルは、例えば実行可能ファイルであってよもく、それらは、例えば処理回路７０４、９０４、１１０４のうちのいずれか１つ、いくつか又は全てにより、上述のように動作するために、サービングネットワークノード１１０及び／又はワイヤレスデバイス１１５及び／又は第１の非サービングネットワークノード１１１ａへ直接的に又は間接的にダウンロードされ並びにそれらの上で実行され得る。ファイルは、追加的に又は代替的に、サービングネットワークノード１１０及び／又はワイヤレスデバイス１１５及び／又は第１の非サービングネットワークノード１１１ａを上述のように動作させるさらなるダウンロード及び実行に先立ってそれらファイルを実行可能とするための、同じ又は別のプロセッサによる中間的なダウンロード及びコンパイル用であってもよい。
【０２２２】
なお、上述の処理モジュールはいずれも、ソフトウェア及び／又はハードウェアモジュールとして、例えば既存のハードウェアにおいて及び／又は特定用途向け集積回路（ＡＳＩＣ）、フィールドプログラマブルゲートアレイ（ＦＰＧＡ）等として、実装されてよい。また、上述のハードウェアモジュール及び／又は回路はいずれも、例えば、単一のＡＳＩＣ若しくはＦＰＧＡに含まれてもよいし、又は、個々にパッケージ化されるにせよ組み合わせられて１つのＳｏＣ（System-on-a-Chip）とされるにせよいくつもの別個のハードウェアコンポーネントの間に分散されてもよいことに留意されたい。
【０２２３】
当業者がやはり理解するであろうこととして、ここで説明したモジュール及び回路は、ハードウェアモジュール、ソフトウェアモジュール、アナログ及びデジタル回路、並びに／又は１つ以上のプロセッサ、の組み合わせへの言及であってもよい。ここで１つ以上のプロセッサは、当該プロセッサにより実行されると第１の基地局１１０及び／又は第２の基地局１１１に上述の方法をそれぞれ実行させ及び／又は実行する、ように構成されるようにする、例えばメモリ内に記憶されるソフトウェア及び／又はファームウェア、で構成される。
【０２２４】
ここでのいずれの識別子による識別も、暗黙的であってもよく、又は明示的であってもよい。識別は、ワイヤレス通信ネットワーク１００の中で又は少なくともその一部若しくは何らかのエリアの中で一意であり得る。
【０２２５】
なお、実際には、あるネットワークノードは、サービングネットワークノード及び非サービングネットワークノードを同時に実装し、並びに、それらノードについての実施形態に従って動作する、ように構成される。理由は、もちろん、同一のネットワークノードが１つのワイヤレスデバイスについてはサービングネットワークノードでありまた同時に他のワイヤレスデバイスについては非サービングネットワークノードであり得るからである。
【０２２６】
ここで使用されるところによれば、“ネットワークノード”との用語は、それ自体、（下に記述する）任意のタイプの無線ネットワークノード、又は、少なくとも無線ネットワークノードと通信し得る任意のネットワークノード、への言及であってよい。こうしたネットワークノードの例は、上記の任意の無線ネットワークノード、コアネットワークノード、Ｏ＆Ｍ（Operations  &  Maintenance）、ＯＳＳ（Operations  Support  Systems）、ＳＯＮ（Self  Organizing  Network）ノード、測位ノード等を含む。ここで使用されるところによれば、“無線ネットワークノード”との用語は、それ自体、ワイヤレスデバイス（例えば、ＵＥ）へサービスし及び／又は他のネットワークノード若しくはネットワークエレメントへ接続される任意のタイプのネットワークノード、又は、ワイヤレスデバイスがそれから信号を受信する任意の無線ノード、への言及であってよい。無線ネットワークノードの例は、ノードＢ、ＢＳ（Base  Station）、ＭＳＲ（Multi-Standard  Radio）  ＢＳといったＭＳＲノード、ｅＮＢ、ｅＮｏｄｅＢ、ネットワークコントローラ、ＲＮＣ、ＢＳＣ（Base  Station  Controller）、リレー、リレーを制御するドナーノード、ＢＴＳ（Base  Transceiver  Station）、アクセスポイント（ＡＰ）、送信ポイント、送信ノード、分散アンテナシステム（ＤＡＳ）内のノード、等である。
【０２２７】
ここで使用されるところによれば、“ワイヤレスデバイス”、“ユーザ機器”及び“ＵＥ”との用語の各々は、それ自体、ワイヤレス通信システム１００といったワイヤレス、セルラー及び／又はモバイル通信システムにおける無線ネットワークノードと通信する、ように構成されるあらゆるタイプのワイヤレスデバイスに言及し、したがって、ワイヤレス通信デバイスとして言及され得る。例は、ターゲットデバイス、Ｄ２Ｄ（device  to  device）ＵＥ、ＭＴＣ（Machine  Type  of  Communication）のためのデバイス、マシンタイプＵＥ若しくはＭ２Ｍ（machine  to  machine）通信の可能なＵＥ、ＰＤＡ（Personal  Digital  Assistant）、ｉＰＡＤ、タブレット、モバイル端末、スマートフォン、ＬＥＥ（Laptop  Embedded  Equipment）、ＬＭＥ（Laptop  Mounted  Equipment）、ＵＳＢ（Universal  Serial  Bus）ドングル、等である。上記用語は、ここでは便宜上、又は他の３ＧＰＰの名称（nomenclature）が関与する例のコンテキストにおいて頻繁に使用されるが、用語自体は非限定的であり、及びここでの教示は本質的にいかなるタイプのワイヤレスデバイスにも当てはまることを理解されたい。なお、ダウンリンクに関して、“送信機”との用語がここでは例えば基地局といった無線ネットワークノードに言及するために使用され、“受信機”との用語がワイヤレスデバイスに言及し得る。
【０２２８】
ここで使用される専門用語は、３ＧＰＰに基づくワイヤレス通信ネットワーク、のように、使用される専門用語に依存して、所定のセルラー通信システム、ワイヤレス通信ネットワーク等に特に関連付けられ及び／又はそれらにより例示され得るが、これは、それ自体、ここでの実施形態の範囲をそうした所定のシステム、ネットワーク等のみに限定するものと捉えられてはならないことに留意されたい。
【０２２９】
ここで使用されるところによれば、“メモリ”との用語は、ハードディスク、磁気記憶媒体、ポータブルコンピュータディスケット又はディスク、フラッシュメモリ、ＲＡＭ（random  access  memory）等に言及し得る。さらに、メモリは、プロセッサの内部レジスタメモリであり得る。
【０２３０】
また、第１のネットワークノード、第２のネットワークノード、第１の基地局、第２の基地局などの序数付きの専門用語は、それ自体、非限定的であるとみなされるべきであり、専門用語それ自体は何らかの階層的な関係を示唆するものではない。特段の明示的な情報のない限り、序数付きの命名は、異なる名称を付すための１つのやり方に過ぎないと考えられるべきである。
【０２３１】
ここで使用されるところによれば、“構成され（configured  to）”との表現は、処理回路が、ソフトウェア又はハードウェア構成により、ここで記述されるアクションのうちの１つ以上を実行する、ように構成され（configured  to）又は適合され（adapted  to）ること、を意味し得る。
【０２３２】
ここで使用されるところによれば、“数（number）”、“値（value）”との用語は、二進数、実数、虚数又は有理数といった、いかなる種類の数であってもよい。そのうえ、“数”、“値”は、文字又は文字列といった１つ以上の文字であってもよい。また、“数”、“値”は、ビットストリングによって表されてもよい。
【０２３３】
ここで使用されるところによれば、“いくつかの実施形態では”との表現は、記述される実施形態の特徴が、ここに開示されている他のいかなる実施形態とも組み合わせられ得ることを指し示すために使用されている。
【０２３４】
ここで使用されるところによれば、“transmit”及び“send”との表現は、典型的には互換可能である。これらの表現は、ブロードキャスト、ユニキャスト、グループキャスト等による送信を含み得る。この文脈トでは、ブロードキャストによる送信は、レンジ内の承認されたいかなるデバイスによっても受信され復号され得る。ユニキャストのケースでは、具体的にアドレス指定される１つのデバイスが、送信信号を受信し復号し得る。グループキャスト（例えば、マルチキャスト）のケースでは、具体的にアドレス指定されるデバイスのグループが、送信を受信し復号し得る。
【０２３５】
“comprise”又は“comprising”との言葉を使用する場合、それは非限定的、即ち“少なくとも含む”ことを意味するものと解釈されたい。
【０２３６】
ここでの実施形態は、上述した好ましい実施形態に限定されない。様々な代替例、修正例、及び均等物が使用され得る。したがって、上の実施形態は本開示の範囲を限定するものと捉えられてはならない。本開示の範囲は、添付の特許請求の範囲により定義される。
【図１】
0006623302.tif 000002
【図２】
0006623302.tif 000003
【図３】
0006623302.tif 000004
【図４】
0006623302.tif 000005
【図５】
0006623302.tif 000006
【図６】
0006623302.tif 000007
【図７】
0006623302.tif 000008
【図８】
0006623302.tif 000009
【図９】
0006623302.tif 000010
【図１０】
0006623302.tif 000011
【図１１】
0006623302.tif 000012
【図１２ａ】
0006623302.tif 000013
【図１２ｂ】
0006623302.tif 000014
【図１２ｃ】
0006623302.tif 000015